(57)【要約】      （修正有）【課題】データ高速伝送を実現するために、複数のＣＱＩテーブルおよびＭＣＳテーブルを用いて伝搬路状況に応じて変調方式を柔軟に選択する方法と装置を提供する。【解決手段】ＣＳＩレポートの解釈に適用するＣＱＩテーブルを、６４ＱＡＭまでの変調方式を含む第１のＣＱＩテーブルから２５６ＱＡＭまでの変調方式を含む第２のＣＱＩテーブルに変更する場合、第２のＣＱＩテーブルの適用を示すＣＱＩテーブル選択に関する情報および前記ＣＱＩテーブルによって選択されたＣＱＩテーブルを用いるサブフレームを示すＣＳＩサブフレームセットを送信し、前記ＣＳＩレポートの解釈に適用するＣＱＩテーブルを、第２のＣＱＩテーブルから１０２４ＱＡＭまでの変調方式を含む第３のＣＱＩテーブルに変更する場合、第３のＣＱＩテーブルの適用を示すＣＱＩテーブル選択に関する情報のみを送信する。【選択図】図１５
2019004212.tif 000002
【特許請求の範囲】
【請求項１】
端末装置と通信する基地局装置であって、
ＣＳＩレポート設定情報を送信する送信部と、
ＣＳＩレポートを受信する受信部と、
前記ＣＳＩレポート設定情報に基づいて、前記ＣＳＩレポートを解釈する制御部と、を備え、
前記送信部は、前記ＣＳＩレポートの解釈に適用するＣＱＩテーブルを、第１のＣＱＩテーブルから第２のＣＱＩテーブルに変更する場合、第２のＣＱＩテーブルの適用を示すＣＱＩテーブル選択に関する情報および前記ＣＱＩテーブル選択に関する情報によって設定されたＣＱＩテーブルを用いるサブフレームを示すＣＳＩサブフレームセットを送信し、
前記送信部は、前記ＣＳＩレポートの解釈に適用するＣＱＩテーブルを、第２のＣＱＩテーブルから第３のＣＱＩテーブルに変更する場合、第３のＣＱＩテーブルの適用を示すＣＱＩテーブル選択に関する情報を送信し、
前記第１のＣＱＩテーブルは、少なくとも第１の変調方式を含み、
前記第１の変調方式は、ＱＰＳＫ、１６ＱＡＭ、および６４ＱＡＭを含み、
前記第２のＣＱＩテーブルは、少なくとも第２の変調方式を含み、
前記第２の変調方式は、ＱＰＳＫ、１６ＱＡＭ、６４ＱＡＭ、および２５６ＱＡＭを含み、
前記第３のＣＱＩテーブルは、少なくとも第３の変調方式を含み、
前記第３の変調方式に関する情報は、ＱＰＳＫ、１６ＱＡＭ、６４ＱＡＭ、２５６ＱＡＭ、１０２４ＱＡＭを含む、基地局装置。
【請求項２】
前記制御部は、前記ＣＳＩレポートの解釈に用いたＣＱＩテーブルを適用して、ＰＤＳＣＨの変調に用いる変調方式を決定する、請求項１に記載の基地局装置。
【請求項３】
前記送信部が、ＣＱＩテーブルを選択するための情報として、前記ＣＱＩテーブル選択に関する情報のみを含む前記ＣＳＩレポート設定情報を送信した場合、前記制御部は、該ＣＱＩテーブル選択に関する情報および前記ＣＳＩレポート設定情報より前に送信されたＣＳＩレポート設定情報によって示されたＣＳＩサブフレームセットを用いて、前記ＣＳＩレポートを解釈する、請求項１または請求項２に記載の基地局装置。
【請求項４】
前記送信部が、ＣＱＩテーブルを選択するための情報として、前記ＣＱＩテーブル選択に関する情報のみを含む前記ＣＳＩレポート設定情報を送信した場合、前記制御部は、該ＣＱＩテーブル選択に関する情報を全サブフレームに対して適用して、前記ＣＳＩレポートを解釈する請求項１または請求項２に記載の基地局装置。
【請求項５】
前記送信部は、前記ＣＳＩレポートの解釈に適用するＣＱＩテーブルに用いるサブフレームのみを変更する場合、前記ＣＳＩサブフレームセットを送信し、
前記制御部は、該ＣＳＩサブフレームセットおよび前記ＣＳＩサブフレームセットより前に送信されたＣＳＩレポート設定情報によって示されたＣＱＩテーブル選択に関する情報を用いて、前記ＣＳＩレポートを解釈する、請求項１から請求項４に記載の基地局装置。
【請求項６】
前記ＣＱＩテーブル選択に関する情報は、第１のＣＱＩテーブル、第２のＣＱＩテーブルおよび第３のＣＱＩテーブルから選択された２つのＣＱＩテーブルを示し、
前記制御部は、前記ＣＳＩサブフレームセットによって示されたサブフレームに対して、前記選択された２つのＣＱＩテーブルのうちの一方のＣＱＩテーブルを適用してＣＳＩレポートを解釈し、
前記ＣＳＩサブフレームセットによって示されなかったサブフレームに対して、前記選
択された２つのＣＱＩテーブルのうちの他方のＣＱＩテーブルを適用してＣＳＩレポートを解釈する、請求項１から請求項５に記載の基地局装置。
【請求項７】
前記制御部は、前記ＣＳＩサブフレームセットによって示されたサブフレームにおいて前記ＣＳＩレポートの解釈に用いたＣＱＩテーブルを適用して、ＰＤＳＣＨの変調に用いる変調方式を決定する、請求項６に記載の基地局装置。
【請求項８】
端末装置と通信する基地局装置の通信方法であって、
ＣＳＩレポート設定情報を送信する送信ステップと、
ＣＳＩレポートを受信する受信ステップと、
前記ＣＳＩレポート設定情報に基づいて、ＣＳＩレポートを解釈する制御ステップと、を有し、
前記ＣＳＩレポートの解釈に適用するＣＱＩテーブルを、第１のＣＱＩテーブルから第２のＣＱＩテーブルに変更する場合、第２のＣＱＩテーブルの適用を示すＣＱＩテーブル選択に関する情報および前記ＣＱＩテーブル選択に関する情報によって選択されたＣＱＩテーブルを用いるサブフレームを示すＣＳＩサブフレームセットを送信し、
前記ＣＳＩレポートの解釈に適用するＣＱＩテーブルを、第２のＣＱＩテーブルから第３のＣＱＩテーブルに変更する場合、第３のＣＱＩテーブルの適用を示すＣＱＩテーブル選択に関する情報を送信し、
前記第１のＣＱＩテーブルは、少なくとも第１の変調方式を含み、
前記第１の変調方式は、ＱＰＳＫ、１６ＱＡＭ、および６４ＱＡＭを含み、
前記第２のＣＱＩテーブルは、少なくとも第２の変調方式を含み、
前記第２の変調方式は、ＱＰＳＫ、１６ＱＡＭ、６４ＱＡＭ、および２５６ＱＡＭを含み、
前記第３のＣＱＩテーブルは、少なくとも第３の変調方式を含み、
前記第３の変調方式に関する情報は、ＱＰＳＫ、１６ＱＡＭ、６４ＱＡＭ、２５６ＱＡＭ、１０２４ＱＡＭを含む、通信方法。
【請求項９】
基地局装置と通信する端末装置であって、
ＣＳＩレポート設定情報を受信する受信部と、
ＣＳＩレポートを送信する送信部と、
前記ＣＳＩレポート設定情報に基づいて、ＣＳＩレポートを作成する制御部と、を備え、
前記ＣＳＩレポート設定情報が前記ＣＳＩレポートの生成に適用するＣＱＩテーブルを示すＣＱＩテーブル選択に関する情報および該ＣＱＩテーブルを適用するサブフレームを示すＣＳＩサブフレームセットを含む場合、前記制御部は、該ＣＱＩテーブル選択に関する情報および該ＣＳＩサブフレームセットを用いて、ＣＳＩレポートを作成し、
前記ＣＳＩレポート設定情報が、ＣＱＩテーブルを選択するための情報として、前記ＣＱＩテーブル選択に関する情報のみを含む場合、前記制御部は、該ＣＱＩテーブル選択に関する情報および前記ＣＳＩレポート設定情報より前に受信したＣＳＩレポート設定情報によって示されたＣＳＩサブフレームセットを用いて、ＣＳＩレポートを作成し、
前記ＣＱＩテーブル選択に関する情報は、前記ＣＳＩレポート設定情報に第１のＣＱＩテーブル、第２のＣＱＩテーブルおよび第３のＣＱＩテーブルのいずれを適用してＣＳＩレポートを作成するか、を示し、
前記第１のＣＱＩテーブルは、少なくとも第１の変調方式を含み、
前記第１の変調方式は、ＱＰＳＫ、１６ＱＡＭ、および６４ＱＡＭを含み、
前記第２のＣＱＩテーブルは、少なくとも第２の変調方式を含み、
前記第２の変調方式は、ＱＰＳＫ、１６ＱＡＭ、６４ＱＡＭ、および２５６ＱＡＭを含み、
前記第３のＣＱＩテーブルは、少なくとも第３の変調方式を含み、
前記第３の変調方式に関する情報は、ＱＰＳＫ、１６ＱＡＭ、６４ＱＡＭ、２５６ＱＡＭ、１０２４ＱＡＭを含む、端末装置。
【請求項１０】
基地局装置と通信する端末装置の通信方法であって、
ＣＳＩレポート設定情報を受信する受信ステップと、
ＣＳＩレポートを送信する送信ステップと、
前記ＣＳＩレポート設定情報に基づいて、ＣＳＩレポートを作成する制御ステップと、を有し、
前記ＣＳＩレポート設定情報が前記ＣＳＩレポートの生成に適用するＣＱＩテーブルを示すＣＱＩテーブル選択に関する情報および該ＣＱＩテーブルを適用するサブフレームを示すＣＳＩサブフレームセットを含む場合、該ＣＱＩテーブル選択に関する情報および該ＣＳＩサブフレームセットを用いて、ＣＳＩレポートを作成し、
前記ＣＳＩレポート設定情報が、ＣＱＩテーブルを選択するための情報として、前記ＣＱＩテーブル選択に関する情報のみを含む場合、該ＣＱＩテーブル選択に関する情報および前記ＣＳＩレポート設定情報より前に受信したＣＳＩレポート設定情報によって示されたＣＳＩサブフレームセットを用いて、ＣＳＩレポートを作成し、
前記ＣＱＩテーブル選択に関する情報は、前記ＣＳＩレポート設定情報に第１のＣＱＩテーブル、第２のＣＱＩテーブルおよび第３のＣＱＩテーブルのいずれを適用してＣＳＩレポートを作成するか、を示し、
前記第１のＣＱＩテーブルは、少なくとも第１の変調方式を含み、
前記第１の変調方式は、ＱＰＳＫ、１６ＱＡＭ、および６４ＱＡＭを含み、
前記第２のＣＱＩテーブルは、少なくとも第２の変調方式を含み、
前記第２の変調方式は、ＱＰＳＫ、１６ＱＡＭ、６４ＱＡＭ、および２５６ＱＡＭを含み、
前記第３のＣＱＩテーブルは、少なくとも第３の変調方式を含み、
前記第３の変調方式に関する情報は、ＱＰＳＫ、１６ＱＡＭ、６４ＱＡＭ、２５６ＱＡＭ、１０２４ＱＡＭを含む、通信方法。
【発明の詳細な説明】
【技術分野】
【０００１】
本発明は、基地局装置、端末装置およびその通信方法に関する。
【背景技術】
【０００２】
３ＧＰＰ（Third Generation Partnership Project）で仕様化されているＬＴＥ（Long
Term Evolution）の通信システムでは、最大６４ＱＡＭ（quadrature amplitude modulation）の変調方式が導入されている（非特許文献１）。端末装置は、下りリンクの伝搬路状況を通知するために、ＣＱＩ（Channel Quality Indicator）を基地局装置に通知する
。前記ＣＱＩは、ＱＰＳＫ、１６ＱＡＭ、６４ＱＡＭで構成されるＣＱＩ（Channel Quality Indicator）テーブルから、所定の誤り率を充たす変調方式である。基地局装置は、
前記ＣＱＩをもとに、ＱＰＳＫ、１６ＱＡＭ、６４ＱＡＭで構成されるＭＣＳ（Modulation and Coding Scheme）テーブルから、下りリンクのデータ伝送に用いる１つの変調方式を選択する。ＬＴＥ−Ａ（LTE - Advanced）の通信システムでは、高速伝送の需要を充たすために、更に２５６ＱＡＭの変調方式が導入されている（非特許文献２）。２５６ＱＡＭをサポートしている端末装置は、２５６ＱＡＭを用いてデータ伝送を行う場合、ＱＰＳＫ、１６ＱＡＭ、６４ＱＡＭ、２５６ＱＡＭで構成される別のＣＱＩテーブルから、所定の誤り率を充たす変調方式を、ＣＱＩとして基地局装置に通知する。２５６ＱＡＭをサポートしている端末装置は、２５６ＱＡＭを用いてデータ伝送を行う場合、ＱＰＳＫ、１６ＱＡＭ、６４ＱＡＭ、２５６ＱＡＭで構成される別のＭＣＳテーブルから、下りリンクのデータ伝送に用いる１つの変調方式を選択する。
【先行技術文献】
【非特許文献】
【０００３】
【非特許文献１】“3rd Generation Partnership Project; Technical Specification Group Radio Access Network; Evolved Universal Terrestrial Radio Access (E-UTRA); Physical layer procedures(Release 8)”  3GPP TS 36.213 v8.8.0 (2009-09)
【非特許文献２】“3rd Generation Partnership Project; Technical Specification Group Radio Access Network; Evolved Universal Terrestrial Radio Access (E-UTRA); Physical layer procedures(Release 12)”  3GPP TS 36.213 v12.5.0 (2015-03)
【発明の概要】
【発明が解決しようとする課題】
【０００４】
今後、ビデオストリーミング、ビデオ会議、ゲーム、テザリングなど大容量通信が必要なアプリケーションに対応するために、更に高速なデータ無線伝送が求められる。本発明はこのような事情を鑑みてなされたものであり、その目的は、このようなデータ高速伝送を実現するために、複数のＣＱＩテーブルおよびＭＣＳテーブルを用いて、伝搬路状況に応じて、変調方式を柔軟に選択することが可能な基地局装置、端末装置及び通信方法を提供することにある。
【課題を解決するための手段】
【０００５】
上述した課題を解決するために本発明に係る基地局装置、端末装置および通信方法の構成は、次の通りである。
【０００６】
（１）本発明の一態様は、端末装置と通信する基地局装置であって、ＣＳＩレポート設定情報を送信する送信部と、ＣＳＩレポートを受信する受信部と、前記ＣＳＩレポート設定情報に基づいて、前記ＣＳＩレポートを解釈する制御部と、を備え、前記送信部は、前記ＣＳＩレポートの解釈に適用するＣＱＩテーブルを、第１のＣＱＩテーブルから第２の
ＣＱＩテーブルに変更する場合、第２のＣＱＩテーブルの適用を示すＣＱＩテーブル選択に関する情報および前記ＣＱＩテーブル選択に関する情報によって設定されたＣＱＩテーブルを用いるサブフレームを示すＣＳＩサブフレームセットを送信し、前記送信部は、前記ＣＳＩレポートの解釈に適用するＣＱＩテーブルを、第２のＣＱＩテーブルから第３のＣＱＩテーブルに変更する場合、第３のＣＱＩテーブルの適用を示すＣＱＩテーブル選択に関する情報を送信し、前記第１のＣＱＩテーブルは、少なくとも第１の変調方式を含み、前記第１の変調方式は、ＱＰＳＫ、１６ＱＡＭ、および６４ＱＡＭを含み、前記第２のＣＱＩテーブルは、少なくとも第２の変調方式を含み、前記第２の変調方式は、ＱＰＳＫ、１６ＱＡＭ、６４ＱＡＭ、および２５６ＱＡＭを含み、前記第３のＣＱＩテーブルは、少なくとも第３の変調方式を含み、前記第３の変調方式に関する情報は、ＱＰＳＫ、１６ＱＡＭ、６４ＱＡＭ、２５６ＱＡＭ、１０２４ＱＡＭを含むこと、を特徴とする。
【０００７】
（２）また、本発明の一態様は、前記制御部は、前記ＣＳＩレポートの解釈に用いたＣＱＩテーブルを適用して、ＰＤＳＣＨの変調に用いる変調方式を決定すること、を特徴とする。
【０００８】
（３）また、本発明の一態様は、前記送信部が、ＣＱＩテーブルを選択するための情報として、前記ＣＱＩテーブル選択に関する情報のみを含む前記ＣＳＩレポート設定情報を送信した場合、前記制御部は、該ＣＱＩテーブル選択に関する情報および前記ＣＳＩレポート設定情報より前に送信されたＣＳＩレポート設定情報によって示されたＣＳＩサブフレームセットを用いて、前記ＣＳＩレポートを解釈すること、を特徴とする。
【０００９】
（４）また、本発明の一態様は、前記送信部が、ＣＱＩテーブルを選択するための情報として、前記ＣＱＩテーブル選択に関する情報のみを含む前記ＣＳＩレポート設定情報を送信した場合、前記制御部は、該ＣＱＩテーブル選択に関する情報を全サブフレームに対して適用して、前記ＣＳＩレポートを解釈すること、を特徴とする。
【００１０】
（５）また、本発明の一態様は、前記送信部は、前記ＣＳＩレポートの解釈に適用するＣＱＩテーブルに用いるサブフレームのみを変更する場合、前記ＣＳＩサブフレームセットを送信し、
前記制御部は、該ＣＳＩサブフレームセットおよび前記ＣＳＩサブフレームセットより前に送信されたＣＳＩレポート設定情報によって示されたＣＱＩテーブル選択に関する情報を用いて、前記ＣＳＩレポートを解釈すること、を特徴とする。
【００１１】
（６）また、本発明の一態様は、前記ＣＱＩテーブル選択に関する情報は、第１のＣＱＩテーブル、第２のＣＱＩテーブルおよび第３のＣＱＩテーブルから選択された２つのＣＱＩテーブルを示し、  前記制御部は、前記ＣＳＩサブフレームセットによって示されたサブフレームに対して、前記選択された２つのＣＱＩテーブルのうちの一方のＣＱＩテーブルを適用してＣＳＩレポートを解釈し、前記ＣＳＩサブフレームセットによって示されなかったサブフレームに対して、前記選択された２つのＣＱＩテーブルのうちの他方のＣＱＩテーブルを適用してＣＳＩレポートを解釈すること、を特徴とする。
【００１２】
（７）また、本発明の一態様は、前記制御部は、前記ＣＳＩサブフレームセットによって示されたサブフレームにおいて前記ＣＳＩレポートの解釈に用いたＣＱＩテーブルを適用して、ＰＤＳＣＨの変調に用いる変調方式を決定すること、を特徴とする。
【００１３】
（８）本発明の一態様は、端末装置と通信する基地局装置の通信方法であって、ＣＳＩレポート設定情報を送信する送信ステップと、ＣＳＩレポートを受信する受信ステップと、前記ＣＳＩレポート設定情報に基づいて、ＣＳＩレポートを解釈する制御ステップと、を有し、前記ＣＳＩレポートの解釈に適用するＣＱＩテーブルを、第１のＣＱＩテーブル
から第２のＣＱＩテーブルに変更する場合、第２のＣＱＩテーブルの適用を示すＣＱＩテーブル選択に関する情報および前記ＣＱＩテーブル選択に関する情報によって選択されたＣＱＩテーブルを用いるサブフレームを示すＣＳＩサブフレームセットを送信し、前記ＣＳＩレポートの解釈に適用するＣＱＩテーブルを、第２のＣＱＩテーブルから第３のＣＱＩテーブルに変更する場合、第３のＣＱＩテーブルの適用を示すＣＱＩテーブル選択に関する情報を送信し、前記第１のＣＱＩテーブルは、少なくとも第１の変調方式を含み、前記第１の変調方式は、ＱＰＳＫ、１６ＱＡＭ、および６４ＱＡＭを含み、前記第２のＣＱＩテーブルは、少なくとも第２の変調方式を含み、前記第２の変調方式は、ＱＰＳＫ、１６ＱＡＭ、６４ＱＡＭ、および２５６ＱＡＭを含み、前記第３のＣＱＩテーブルは、少なくとも第３の変調方式を含み、前記第３の変調方式に関する情報は、ＱＰＳＫ、１６ＱＡＭ、６４ＱＡＭ、２５６ＱＡＭ、１０２４ＱＡＭを含むこと、を特徴とする。
【００１４】
（９）本発明の一態様は、基地局装置と通信する端末装置であって、ＣＳＩレポート設定情報を受信する受信部と、ＣＳＩレポートを送信する送信部と、前記ＣＳＩレポート設定情報に基づいて、ＣＳＩレポートを作成する制御部と、を備え、前記ＣＳＩレポート設定情報が前記ＣＳＩレポートの生成に適用するＣＱＩテーブルを示すＣＱＩテーブル選択に関する情報および該ＣＱＩテーブルを適用するサブフレームを示すＣＳＩサブフレームセットを含む場合、前記制御部は、該ＣＱＩテーブル選択に関する情報および該ＣＳＩサブフレームセットを用いて、ＣＳＩレポートを作成し、前記ＣＳＩレポート設定情報が、ＣＱＩテーブルを選択するための情報として、前記ＣＱＩテーブル選択に関する情報のみを含む場合、前記制御部は、該ＣＱＩテーブル選択に関する情報および前記ＣＳＩレポート設定情報より前に受信したＣＳＩレポート設定情報によって示されたＣＳＩサブフレームセットを用いて、ＣＳＩレポートを作成し、前記ＣＱＩテーブル選択に関する情報は、前記ＣＳＩレポート設定情報に第１のＣＱＩテーブル、第２のＣＱＩテーブルおよび第３のＣＱＩテーブルのいずれを適用してＣＳＩレポートを作成するか、を示し、前記第１のＣＱＩテーブルは、少なくとも第１の変調方式を含み、前記第１の変調方式は、ＱＰＳＫ、１６ＱＡＭ、および６４ＱＡＭを含み、前記第２のＣＱＩテーブルは、少なくとも第２の変調方式を含み、前記第２の変調方式は、ＱＰＳＫ、１６ＱＡＭ、６４ＱＡＭ、および２５６ＱＡＭを含み、前記第３のＣＱＩテーブルは、少なくとも第３の変調方式を含み、前記第３の変調方式に関する情報は、ＱＰＳＫ、１６ＱＡＭ、６４ＱＡＭ、２５６ＱＡＭ、１０２４ＱＡＭを含むこと、を特徴とする。
【００１５】
（１０）本発明の一態様は、基地局装置と通信する端末装置の通信方法であって、ＣＳＩレポート設定情報を受信する受信ステップと、ＣＳＩレポートを送信する送信ステップと、前記ＣＳＩレポート設定情報に基づいて、ＣＳＩレポートを作成する制御ステップと、を有し、前記ＣＳＩレポート設定情報が前記ＣＳＩレポートの生成に適用するＣＱＩテーブルを示すＣＱＩテーブル選択に関する情報および該ＣＱＩテーブルを適用するサブフレームを示すＣＳＩサブフレームセットを含む場合、該ＣＱＩテーブル選択に関する情報および該ＣＳＩサブフレームセットを用いて、ＣＳＩレポートを作成し、前記ＣＳＩレポート設定情報が、ＣＱＩテーブルを選択するための情報として、前記ＣＱＩテーブル選択に関する情報のみを含む場合、該ＣＱＩテーブル選択に関する情報および前記ＣＳＩレポート設定情報より前に受信したＣＳＩレポート設定情報によって示されたＣＳＩサブフレームセットを用いて、ＣＳＩレポートを作成し、前記ＣＱＩテーブル選択に関する情報は、前記ＣＳＩレポート設定情報に第１のＣＱＩテーブル、第２のＣＱＩテーブルおよび第３のＣＱＩテーブルのいずれを適用してＣＳＩレポートを作成するか、を示し、前記第１のＣＱＩテーブルは、少なくとも第１の変調方式を含み、前記第１の変調方式は、ＱＰＳＫ、１６ＱＡＭ、および６４ＱＡＭを含み、前記第２のＣＱＩテーブルは、少なくとも第２の変調方式を含み、前記第２の変調方式は、ＱＰＳＫ、１６ＱＡＭ、６４ＱＡＭ、および２５６ＱＡＭを含み、前記第３のＣＱＩテーブルは、少なくとも第３の変調方式を含み、前記第３の変調方式に関する情報は、ＱＰＳＫ、１６ＱＡＭ、６４ＱＡＭ、２５６ＱＡ
Ｍ、１０２４ＱＡＭを含むこと、を特徴とする。
【発明の効果】
【００１６】
本発明の一又は複数の態様によれば、基地局装置及び端末装置は、複数のＣＱＩテーブルおよびＭＣＳテーブルを用いて、伝搬路状況に応じて変調方式を柔軟に選択することができる。
【図面の簡単な説明】
【００１７】
【図１】第１の実施形態に係る通信システム１の構成例を示す図である。
【図２】第１の実施形態に係るＣＱＩテーブルの一例を示す図である。
【図３】第１の実施形態に係るＣＱＩテーブルの別例を示す図である。
【図４】第１の実施形態に係るＣＱＩテーブルの別例を示す図である。
【図５】第１の実施形態に係るＭＣＳテーブルの一例を示す図である。
【図６】第１の実施形態に係るＭＣＳテーブルの別例を示す図である。
【図７】第１の実施形態に係るＭＣＳテーブルの別例を示す図である。
【図８】第１の実施形態に係る通信システム１の無線フレーム構成の一例を示す図である。
【図９】第１の実施形態に係る基地局装置１０の構成の概略ブロック図である。
【図１０】第１の実施形態に係るＣＱＩテーブルの状態遷移例を示す図である。
【図１１】第１の実施形態に係るＭＣＳの設定フロー例を示す図である。
【図１２】第１の実施形態に係る端末装置２０の構成を示す概略ブロック図である。
【図１３】第１の実施形態に係るＣＱＩインデックスの設定フロー例を示す図である。
【図１４】第１の実施形態に係るＭＣＳインデックスの解釈フロー例を示す図である。
【図１５】第２の実施形態に係るＣＱＩインデックスの設定フロー例を示す図である。
【図１６】第２の実施形態に係るＣＱＩテーブルの状態遷移例を示す図である。
【図１７】第２の実施形態に係るＭＣＳインデックスの解釈フロー例を示す図である。
【図１８】第３の実施形態に係るＣＱＩテーブルの状態遷移例を示す図である。
【図１９】第４の実施形態に係るＭＣＳインデックスの解釈フロー例を示す図である。
【発明を実施するための形態】
【００１８】
本実施形態に係る通信システムは、基地局装置（セル、スモールセル、サービングセル、コンポーネントキャリア、ｅＮｏｄｅＢ、Ｈｏｍｅ  ｅＮｏｄｅＢ、ｇＮｏｄｅＢ）および端末装置（端末、移動端末、ＵＥ:User Equipment）を備える。該通信システムにお
いて、下りリンクの場合、基地局装置は送信装置（送信点、送信アンテナ群、送信アンテナポート群、ＴＲＰ(Tx/Rx Point)）となり、端末装置は受信装置（受信点、受信端末、
受信アンテナ群、受信アンテナポート群）となる。上りリンクの場合、基地局装置は受信装置となり、端末装置は送信装置となる。前記通信システムは、Ｄ２Ｄ（Device-to-Device）通信にも適用可能である。その場合、送信装置も受信装置も共に端末装置になる。
【００１９】
前記通信システムは、人間が介入する端末装置と基地局装置間のデータ通信に限定されるものではなく、ＭＴＣ（Machine Type Communication）、Ｍ２Ｍ通信（Machine-to-Machine Communication）、ＩｏＴ（Internet of Things）用通信、ＮＢ−ＩｏＴ（Narrow Band-IoT）等（以下、ＭＴＣと呼ぶ）の人間の介入を必要としないデータ通信の形態にも
、適用することができる。この場合、端末装置がＭＴＣ端末となる。前記通信システムは、上りリンク及び下りリンクにおいて、ＣＰ−ＯＦＤＭ（Cyclic Prefix - Orthogonal F
requency Division Multiplexing）等のマルチキャリア伝送方式を用いることができる。前記通信システムは、上りリンクにおいて、ＤＦＴＳ−ＯＦＤＭ（Discrete Fourier Transform Spread - Orthogonal Frequency Division Multiplexing、SC-FDMAとも称される
）等の伝送方式を用いてもよい。なお、以下では、上りリンク及び下りリンクにおいて、ＯＦＤＭ伝送方式を用いた場合で説明するが、これに限らず、他の伝送方式を適用することができる。
【００２０】
本実施形態における基地局装置及び端末装置は、無線事業者がサービスを提供する国や地域から使用許可（免許）が得られた、いわゆるライセンスバンド（licensed band）と
呼ばれる周波数バンド、及び／又は、国や地域からの使用許可（免許）を必要としない、いわゆるアンライセンスバンド（unlicensed band）と呼ばれる周波数バンドで通信する
ことができる。
【００２１】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
（第１の実施形態）
図１は、本実施形態に係る通信システム１の構成例を示す図である。本実施形態における通信システム１は、基地局装置１０、端末装置２０を備える。カバレッジ１０ａは、基地局装置１０が端末装置２０と接続可能な範囲（通信エリア）である（セルとも呼ぶ）。なお、基地局装置１０は、カバレッジ１０ａにおいて、複数の端末装置２０を収容することができる。前記通信システム１は、基地局装置１０及び端末装置２０が、ＢＰＳＫ（Binary Phase Shift Keying）、ＱＰＳＫ（Quadrature Phase Shift Keying）、１６ＱＡＭ（quadrature amplitude modulation）、６４ＱＡＭ、２５６ＱＡＭ、または１０２４Ｑ
ＡＭの変調方式を用いて、データ変調及び復調することができるシステムである。
【００２２】
図１において、上りリンク無線通信ｒ３０は、以下の上りリンク物理チャネルを含む。上りリンク物理チャネルは、上位層から出力された情報を送信するために使用される。
・物理上りリンク制御チャネル（ＰＵＣＣＨ）
・物理上りリンク共有チャネル（ＰＵＳＣＨ）
・物理ランダムアクセスチャネル（ＰＲＡＣＨ）
ＰＵＣＣＨは、上りリンク制御情報（Uplink Control Information: UCI）を送信する
ために用いられる物理チャネルである。上りリンク制御情報は、下りリンクデータ（Downlink transport block, Medium Access Control Protocol Data Unit: MAC PDU, Downlink-Shared Channel: DL-SCH, Physical Downlink Shared Channel: PDSCH）に対する肯定
応答（positive acknowledgement: ACK）／否定応答（Negative acknowledgement: NACK
）を含む。ＡＣＫ／ＮＡＣＫは、ＨＡＲＱ−ＡＣＫ（Hybrid Automatic Repeat request ACKnowledgement）、ＨＡＲＱフィードバック、ＨＡＲＱ応答、または、ＨＡＲＱ制御情
報、送達確認を示す信号とも称される。
【００２３】
上りリンク制御情報は、初期送信のためのＰＵＳＣＨ（Uplink-Shared Channel: UL-SCH）リソースを要求するために用いられるスケジューリングリクエスト（Scheduling Request: SR）を含む。スケジューリングリクエストは、正のスケジューリングリクエスト（positive scheduling request）、または、負のスケジューリングリクエスト（negative scheduling request）を含む。正のスケジューリングリクエストは、初期送信のためのＵ
Ｌ−ＳＣＨリソースを要求することを示す。負のスケジューリングリクエストは、初期送信のためのＵＬ−ＳＣＨリソースを要求しないことを示す。
【００２４】
上りリンク制御情報は、下りリンクのチャネル状態情報（Channel State Information:
CSI）を含む。前記下りリンクのチャネル状態情報は、好適な空間多重数（レイヤ数）を
示すランク指標（Rank Indicator: RI）、好適なプレコーダを示すプレコーディング行列指標（Precoding Matrix Indicator: PMI）、好適な伝送レートを指定するチャネル品質
指標（Channel Quality Indicator: CQI）などを含む。前記ＰＭＩは、端末装置によって決定されるコードブックを示す。該コードブックは、物理下りリンク共有チャネルのプレコーディングに関連する。前記ＣＱＩは、所定の帯域における好適な変調方式（例えば、ＱＰＳＫ、１６ＱＡＭ、６４ＱＡＭ、２５６ＱＡＭ、１０２４ＱＡＭなど）、符号化率（coding rate）、および周波数利用効率を指し示すインデックス（ＣＱＩインデックス）
を用いることができる。端末装置は、ＰＤＳＣＨのトランスポートブロックが所定のブロック誤り確率（例えば、誤り率０．１）を超えずに受信可能であろうＣＱＩインデックスをＣＱＩテーブルから選択する。
【００２５】
図２は、本実施形態に係るＣＱＩテーブルの一例を示す図である。ＣＱＩインデックスは、変調方式、符号化率および周波数利用効率と関連付けられる。図２のＣＱＩテーブル（６４ＱＡＭモードＣＱＩテーブル）において、ＣＱＩインデックスは、変調方式として、ＱＰＳＫ、１６ＱＡＭ、または６４ＱＡＭを指し示す。図３は、本実施形態に係るＣＱＩテーブルの別例を示す図である。図３のＣＱＩテーブル（２５６ＱＡＭモードＣＱＩテーブル）において、ＣＱＩインデックスは、変調方式として、ＱＰＳＫ、１６ＱＡＭ、６４ＱＡＭ、または２５６ＱＡＭを指し示す。図４は、本実施形態に係るＣＱＩテーブルの別例を示す図である。図４のＣＱＩテーブル（１０２４ＱＡＭモードＣＱＩテーブル）において、ＣＱＩインデックスは、変調方式として、ＱＰＳＫ、１６ＱＡＭ、６４ＱＡＭ、２５６ＱＡＭ、または１０２４ＱＡＭを指し示す。図２から図４のＣＱＩテーブルは、通信システム１（基地局装置１０及び端末装置２０）において共有される。図２のＣＱＩテーブルは、リファレンステーブルとすることができる。この場合、基地局装置１０が図３または図４のＣＱＩテーブルを選択しないとき、端末装置２０よってレポートされるＣＱＩインデックスの解釈は、図２のＣＱＩテーブルに基づく。基地局装置が図３のＣＱＩテーブルを選択した場合、端末装置２０によってレポートされるＣＱＩインデックスの解釈は、図３のＣＱＩテーブルに基づく。基地局装置が図４のＣＱＩテーブルを選択した場合、端末装置２０によってレポートされるＣＱＩインデックスの解釈は、図４のＣＱＩテーブルに基づく。
【００２６】
前記下りリンクのチャネル状態情報は、定期的／非定期的に送信することができる。定期的なチャネル状態情報（Periodic CSI）は、前記上りリンク制御チャネルで送信される。定期的なチャネル状態情報の送信間隔は、無線リソース制御（Radio Resource Control: RRC）層において、ＰＤＳＣＨのＲＲＣシグナリングによって設定される。非定期的な
チャネル状態情報（Aperiodic CSI）は、後述する物理上りリンク共有チャネルで送信さ
れる。非定期的なチャネル状態情報の要求は、後述する下りリンク制御情報（Downlink Control Information: DCI）によって通知される。
【００２７】
ＰＵＳＣＨは、上りリンクデータ（Uplink Transport Block、Uplink-Shared Channel:
UL-SCH）を送信するために用いられる物理チャネルである。ＰＵＳＣＨは、前記上りリ
ンクデータと共に、下りリンクデータに対するＨＡＲＱ−ＡＣＫおよび／またはチャネル状態情報を送信するために用いられてもよい。ＰＵＳＣＨは、チャネル状態情報のみを送信するために用いられてもよい。ＰＵＳＣＨはＨＡＲＱ−ＡＣＫおよびチャネル状態情報のみを送信するために用いられてもよい。
【００２８】
ＰＵＳＣＨは、無線リソース制御（Radio Resource Control: RRC）シグナリングを送
信するために用いられる。ＲＲＣシグナリングは、ＲＲＣメッセージ／ＲＲＣ層の情報／ＲＲＣ層の信号／ＲＲＣ層のパラメータ／ＲＲＣ情報要素とも称される。ＲＲＣシグナリングは、無線リソース制御層において処理される情報／信号である。基地局装置から送信されるＲＲＣシグナリングは、セル内における複数の端末装置に対して共通のシグナリン
グであってもよい。基地局装置から送信されるＲＲＣシグナリングは、ある端末装置に対して専用のシグナリング（dedicated signalingとも称する）であってもよい。すなわち
、ユーザ装置スペシフィック（ユーザ装置固有）な情報は、ある端末装置に対して専用のシグナリングを用いて送信される。ＲＲＣメッセージは、端末装置のＵＥ  Ｃａｐａｂｉｌｉｔｙを含めることができる。ＵＥ  Ｃａｐａｂｉｌｉｔｙは、該端末装置がサポートする機能を示す情報である。
【００２９】
ＰＵＳＣＨは、ＭＡＣ  ＣＥ（Medium Access Control Element）を送信するために用
いられる。ＭＡＣ  ＣＥは、媒体アクセス制御層（Medium Access Control layer）にお
いて処理（送信）される情報／信号である。例えば、パワーヘッドルームは、ＭＡＣ  ＣＥに含まれ、物理上りリンク共有チャネルを経由して報告されてもよい。すなわち、ＭＡＣ  ＣＥのフィールドが、パワーヘッドルームのレベルを示すために用いられる。上りリンクデータは、ＲＲＣメッセージ、ＭＡＣ  ＣＥを含むことができる。ＲＲＣシグナリング、および／または、ＭＡＣ  ＣＥを、上位層の信号（higher layer signaling）とも称する。ＲＲＣシグナリング、および／または、ＭＡＣ  ＣＥは、トランスポートブロックに含まれる。
【００３０】
ＰＲＡＣＨは、ランダムアクセスに用いるプリアンブルを送信するために用いられる。ＰＲＡＣＨは、ランダムアクセスプリアンブルを送信するために用いられる。ＰＲＡＣＨは、初期コネクション確立（initial connection establishment）プロシージャ、ハンドオーバプロシージャ、コネクション再確立（connection re-establishment）プロシージ
ャ、上りリンク送信に対する同期（タイミング調整）、およびＰＵＳＣＨ（ＵＬ−ＳＣＨ）リソースの要求を示すために用いられる。
【００３１】
上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。上りリンク参照信号には、復調用参照信号（Demodulation Reference Signal: DMRS）、サウンディング参
照信号（Sounding Reference Signal: SRS）が含まれる。ＤＭＲＳは、物理上りリンク共有チャネル／物理上りリンク制御チャネルの送信に関連する。例えば、基地局装置１０は、物理上りリンク共有チャネル／物理上りリンク制御チャネルを復調するとき、伝搬路推定／伝搬路補正を行うために復調用参照信号を使用する。
【００３２】
ＳＲＳは、物理上りリンク共有チャネル／物理上りリンク制御チャネルの送信に関連しない。基地局装置１０は、上りリンクのチャネル状態を測定（CSI Measurement）するた
めにＳＲＳを使用する。
【００３３】
図１において、下りリンクｒ３１の無線通信では、以下の下りリンク物理チャネルが用いられる。下りリンク物理チャネルは、上位層から出力された情報を送信するために使用される。
・物理報知チャネル（ＰＢＣＨ）
・物理制御フォーマット指示チャネル（ＰＣＦＩＣＨ）
・物理ハイブリッド自動再送要求指示チャネル（ＰＨＩＣＨ）
・物理下りリンク制御チャネル（ＰＤＣＣＨ）
・拡張物理下りリンク制御チャネル（ＥＰＤＣＣＨ）
・物理下りリンク共有チャネル（ＰＤＳＣＨ）
・物理マルチキャストチャネル（ＰＭＣＨ）
ＰＢＣＨは、端末装置で共通に用いられるマスターインフォメーションブロック（Master Information Block: MIB, Broadcast Channel: BCH）を報知するために用いられる。
ＭＩＢはシステム情報の１つである。例えば、ＰＢＣＨは、下りリンク送信帯域幅設定、
ＰＨＩＣＨ設定、システムフレーム番号（ＳＦＮ：System Frame number）を含む。
【００３４】
ＰＣＦＩＣＨは、ＰＤＣＣＨの送信のための領域（コントロール領域）を指示する情報（ＰＤＣＣＨの送信のためのＯＦＤＭシンボル数）を送信するために用いられる。基地局装置及び端末装置は、該コントロール領域を指示する情報によって、ＰＤＳＣＨがマッピングされる領域のスタートポイントを把握することができる。
【００３５】
ＰＨＩＣＨは、基地局装置が受信した上りリンクデータ（Uplink Shared Channel: UL-SCH）に対するＡＣＫ（ACKnowledgement）またはＮＡＣＫ（Negative ACKnowledgement）を示すＨＡＲＱインジケータ（ＨＡＲＱフィードバック、応答情報）を送信するために用いられる。
【００３６】
ＰＤＣＣＨ及びＥＰＤＣＣＨは、下りリンク制御情報（Downlink Control Information: DCI）を送信するために用いられる。本実施形態において、便宜的に「ＰＤＣＣＨ」は
「ＥＰＤＣＣＨ」を含むとする。下りリンク制御情報は、用途に基づいた複数のフォーマット（ＤＣＩフォーマットとも称する）が定義される。各フォーマットは、用途に応じて使われる。下りリンク制御情報は、下りリンクデータ送信のための制御情報と上りリンクデータ送信のための制御情報を含む。下りリンクデータ送信のためのＤＣＩフォーマットは、下りリンクアサインメント（または、下りリンクグラント）とも称する。上りリンクデータ送信のためのＤＣＩフォーマットは、上りリンクグラント（または、上りリンクアサインメント）とも称する。
【００３７】
下りリンクアサインメントは、ＰＤＳＣＨのスケジューリングに用いられる。下りリンクアサインメントには、ＰＤＳＣＨのためのリソースブロック割り当て、ＰＤＳＣＨに対するＭＣＳ（Modulation and Coding Scheme）、ＨＡＲＱ情報（初期送信または再送信を指示するＮＤＩ（NEW Data Indicator）、下りリンクにおけるＨＡＲＱプロセス番号を示す情報など）などの下りリンク制御情報が含まれる。下りリンクアサインメントは、物理上りリンクチャネル（例えば、物理上りリンク制御チャネル、物理上りリンク共有チャネル）に対する送信電力制御（ＴＰＣ：Transmission Power Control）コマンドを含めてもよい。
【００３８】
ＰＤＳＣＨに対するＭＣＳは、該ＰＤＳＣＨの変調オーダーおよびＴＢＳ（Transport Block Size: TBS）インデックスと対応づけられたインデックス（ＭＣＳインデックス）
を用いて指示されうる。変調オーダーは、変調方式と対応づけられる。変調オーダー「２」、「４」、「６」、「８」、「１０」は各々、「ＱＰＳＫ」、「１６ＱＡＭ」、「６４ＱＡＭ」、「２５６ＱＡＭ」、「１０２４ＱＡＭ」を示す。ＴＢＳインデックスは、前記ＰＤＣＣＨでスケジュールされたＰＤＳＣＨのトランスポートブロックサイズを特定するために使用されるインデックスである。通信システム１（基地局装置１０及び端末装置２０）は、前記ＴＢＳインデックスと前記ＰＤＳＣＨ送信のために割当てられたリソースブロック数によってトランスポートブロックサイズを特定できるテーブル（トランスポートブロックサイズテーブル）を共有する。
【００３９】
図５は、本実施形態に係るＭＣＳテーブルの一例を示す図である。ＭＣＳインデックスは、変調オーダー、ＴＢＳインデックスと関連付けられる。図５のＭＣＳテーブル（６４ＱＡＭモードＭＣＳテーブル）において、ＭＣＳインデックスは、変調オーダー「２」、「４」、または「６」を指し示す。図６は、本実施形態に係るＭＣＳテーブルの別例を示す図である。図６のＭＣＳテーブル（２５６ＱＡＭモードＭＣＳテーブル）において、ＭＣＳインデックスは、変調オーダー「２」、「４」、「６」、または「８」を指し示す。図７は、本実施形態に係るＭＣＳテーブルの別例を示す図である。図７のＭＣＳインデックス（１０２４ＱＡＭモードＭＣＳテーブル）は、変調オーダー「２」、「４」、「６」
、「８」、または「１０」を指し示す。ＴＢＳインデックスが「reserved」であるＭＣＳインデックスは、再送時に用いることができる。図５から図７のＭＣＳテーブルは、通信システム１（基地局装置１０及び端末装置２０）において共有される。図５のＭＣＳテーブルは、リファレンステーブルとすることができる。この場合、基地局装置１０が図６または図７のＭＣＳテーブル選択を設定しないとき、Ｃ−ＲＮＴＩによってスクランブルされたＣＲＣをもつＤＣＩに含まれるＭＣＳインデックスの解釈は、図５のＭＣＳテーブルに基づく。基地局装置１０によって図６のＭＣＳテーブルが選択された場合、Ｃ−ＲＮＴＩによってスクランブルされたＣＲＣをもつ所定のＤＣＩに含まれるＭＣＳインデックスの解釈は、図６のＭＣＳテーブルに基づく。基地局装置１０によって図７のＭＣＳテーブルが選択された場合、Ｃ−ＲＮＴＩによってスクランブルされたＣＲＣをもつ所定のＤＣＩに含まれるＭＣＳインデックスの解釈は、図７のＭＣＳテーブルに基づく。
【００４０】
なお、６４ＱＡＭモードとは、ＰＤＳＣＨに適用されるＭＣＳテーブルを構成する変調方式として２５６ＱＡＭ以上の変調オーダーが含まれない設定（構成）、またはＰＤＳＣＨに適用されるＭＣＳテーブルを構成する変調方式がＱＰＳＫ、１６ＱＡＭ、６４ＱＡＭから構成される設定（構成）、あるいはＣＱＩレポートに用いられるＣＱＩテーブルを構成する変調方式として２５６ＱＡＭ以上の変調オーダーが含まれない設定（構成）、またはＣＱＩレポートに用いられるＣＱＩテーブルを構成する変調方式がＱＰＳＫ、１６ＱＡＭ、６４ＱＡＭから構成される設定（構成）等を指す。２５６ＱＡＭモードとは、ＰＤＳＣＨを２５６ＱＡＭでのデータ変調することが想定されたＭＣＳテーブル／ＣＱＩテーブル等を用いる設定を示す。２５６ＱＡＭモードとは、ＰＤＳＣＨに適用されるＭＣＳテーブルを構成する変調方式として２５６ＱＡＭが少なくとも含まれる設定（構成）、またはＰＤＳＣＨに適用されるＭＣＳテーブルを構成する変調方式がＱＰＳＫ、１６ＱＡＭ、６４ＱＡＭ、２５６ＱＡＭから構成される設定（構成）、あるいはＣＱＩレポートに用いられるＣＱＩテーブルを構成する変調方式として２５６ＱＡＭが含まれる設定（構成）、またはＣＱＩレポートに用いられるＣＱＩテーブルを構成する変調方式がＱＰＳＫ、１６ＱＡＭ、６４ＱＡＭ、２５６ＱＡＭから構成される設定（構成）等を指す。１０２４ＱＡＭモードとは、ＰＤＳＣＨを１０２４ＱＡＭでのデータ変調することが想定されたＭＣＳテーブル／ＣＱＩテーブル等を用いる設定を示す。１０２４ＱＡＭモードとは、ＰＤＳＣＨに適用されるＭＣＳテーブルを構成する変調方式として１０２４ＱＡＭが少なくとも含まれる設定（構成）、またはＰＤＳＣＨに適用されるＭＣＳテーブルを構成する変調方式がＱＰＳＫ、１６ＱＡＭ、６４ＱＡＭ、２５６ＱＡＭ、１０２４ＱＡＭから構成される設定（構成）、あるいはＣＱＩレポートに用いられるＣＱＩテーブルを構成する変調方式として１０２４ＱＡＭが含まれる設定（構成）、またはＣＱＩレポートに用いられるＣＱＩテーブルを構成する変調方式がＱＰＳＫ、１６ＱＡＭ、６４ＱＡＭ、２５６ＱＡＭ、１０２４ＱＡＭから構成される設定（構成）等を指す。ＭＣＳテーブル／ＣＱＩテーブルにおいて、６４ＱＡＭモード／２５６ＱＡＭモード／１０２４ＱＡＭモードの変更は、上位レイヤから与えられる所定のパラメータ（ＲＲＣメッセージ）によって行なわれる（詳細は後述）。
【００４１】
上りリンクグラントは、ＰＵＳＣＨのスケジューリングを端末装置に通知するために用いられる。上りリンクグラントは、ＰＵＳＣＨを送信するためのリソースブロック割り当てに関する情報、ＰＵＳＣＨのＭＣＳに関する情報、ＰＵＳＣＨの再送に関する情報、ＰＵＳＣＨに対するＴＰＣコマンド、下りリンクのチャネル状態情報（Channel State Information: CSI）要求（CSI request）、など上りリンク制御情報を含む。
【００４２】
ＰＤＣＣＨは、下りリンク制御情報に巡回冗長検査（Cyclic Redundancy Check: CRC）を付加して生成される。ＰＤＣＣＨにおいて、ＣＲＣパリティビットは、所定の識別子を用いてスクランブル（排他的論理和演算、マスクとも呼ぶ）される。パリティビットは、Ｃ−ＲＮＴＩ（Cell-Radio Network Temporary Identifier）、ＳＰＳ（Semi Persistent
Scheduling）Ｃ−ＲＮＴＩ、Ｔｅｍｐｏｒａｒｙ  Ｃ−ＲＮＴＩ、Ｐ（Paging）−ＲＮ
ＴＩ、ＳＩ（System Information）−ＲＮＴＩ、またはＲＡ（Random Access）−ＲＮＴ
Ｉでスクランブルされる。Ｃ−ＲＮＴＩおよびＳＰＳ  Ｃ−ＲＮＴＩは、セル内において端末装置を識別するための識別子である。Ｔｅｍｐｏｒａｒｙ  Ｃ−ＲＮＴＩは、コンテンションベースランダムアクセス手順（contention based random access procedure）中に、ランダムアクセスプリアンブルを送信した端末装置を識別するための識別子である。Ｃ−ＲＮＴＩおよびＴｅｍｐｏｒａｒｙ  Ｃ−ＲＮＴＩは、単一のサブフレームにおけるＰＤＳＣＨ送信またはＰＵＳＣＨ送信を制御するために用いられる。ＳＰＳ  Ｃ−ＲＮＴＩは、ＰＤＳＣＨまたはＰＵＳＣＨのリソースを周期的に割り当てるために用いられる。Ｐ−ＲＮＴＩは、ページングメッセージ(Paging Channel: PCH)を送信するために用いら
れる。ＳＩ−ＲＮＴＩは、ＳＩＢを送信するために用いられる、ＲＡ−ＲＮＴＩは、ランダムアクセスレスポンス(ランダムアクセスプロシジャーにおけるメッセージ２)を送信するために用いられる。
【００４３】
ＰＤＳＣＨは、下りリンクデータ（下りリンクトランスポートブロック、DL-SCH）を送信するために用いられる。ＰＤＳＣＨは、システムインフォメーションメッセージ（System Information Block: SIBとも称する。）を送信するために用いられる。ＳＩＢの一部
又は全部は、ＲＲＣメッセージに含めることができる。
【００４４】
ＰＤＳＣＨは、ＲＲＣシグナリングを送信するために用いられる。基地局装置から送信されるＲＲＣシグナリングは、セル内における複数の端末装置に対して共通（セル固有）であってもよい。すなわち、そのセル内のユーザ装置共通な情報は、セル固有のＲＲＣシグナリングを使用して送信される。基地局装置から送信されるＲＲＣシグナリングは、ある端末装置に対して専用のメッセージ（dedicated signalingとも称する）であってもよ
い。すなわち、ユーザ装置スペシフィック（ユーザ装置固有）な情報は、ある端末装置に対して専用のメッセージを使用して送信される。
【００４５】
ＰＤＳＣＨは、ＭＡＣ  ＣＥを送信するために用いられる。ＲＲＣシグナリングおよび／またはＭＡＣ  ＣＥを、上位層の信号（higher layer signaling）とも称する。ＰＭＣＨは、マルチキャストデータ（Multicast Channel: MCH）を送信するために用いられる。
【００４６】
図１の下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００４７】
同期信号は、端末装置が、下りリンクの周波数領域および時間領域の同期を取るために用いられる。下りリンク参照信号は、端末装置が、下りリンク物理チャネルの伝搬路推定／伝搬路補正を行なうために用いられる。例えば、下りリンク参照信号は、ＰＢＣＨ、ＰＣＳＣＨ、ＰＤＣＣＨを復調するために用いられる。下りリンク参照信号は、端末装置が、下りリンクのチャネル状態の測定（ＣＳＩ  ｍｅａｓｕｒｅｍｅｎｔ）するために用いることもできる。下りリンク参照信号は、ＣＲＳ（Cell-specific Reference Signal）、ＰＤＳＣＨに関連するＵＲＳ（UE-specific Reference Signal）、ＥＰＤＣＣＨに関連するＤＭＲＳ（Demodulation Reference Signal）、ＮＺＰ  ＣＳＩ−ＲＳ（Non-Zero Power Chanel State Information - Reference Signal）、ＺＰ  ＣＳＩ−ＲＳ（Zero Power Chanel State Information - Reference Signal）などがある。端末装置２０は、各種チ
ャネルを復調とＣＳＩ  ｍｅａｓｕｒｅｍｅｎｔを共通の参照信号（例えば、ＣＲＳ）を用いて行ってもよい。各種チャネルを復調するために用いられる参照信号とＣＳＩ  ｍｅａｓｕｒｅｍｅｎｔのために用いられる参照信号は異なってもよい。
【００４８】
下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００４９】
ＢＣＨ、ＭＣＨ、ＵＬ−ＳＣＨおよびＤＬ−ＳＣＨは、トランスポートチャネルである。ＭＡＣ層で用いられるチャネルを、トランスポートチャネルと称する。ＭＡＣ層で用いられるトランスポートチャネルの単位を、トランスポートブロック（ＴＢ：Transport Block）、または、ＭＡＣ  ＰＤＵ（Protocol Data Unit）とも称する。トランスポートブ
ロックは、ＭＡＣ層が物理層に渡す（deliverする）データの単位である。物理層におい
て、トランスポートブロックはコードワードにマップされ、コードワード毎に符号化処理などが行なわれる。
【００５０】
図８は、本実施形態に係る通信システム１の無線フレーム構成の一例を示す図である。１つの無線フレームは、複数のサブフレームから構成される。図２は、１つの無線フレームが１０個のサブフレームから構成されている。１つのサブフレームは、複数のＯＦＤＭシンボルで構成される。図２は、１つのサブフレームが１４個のＯＦＤＭシンボルから構成されている。通信システム１は、サブフレームを、基地局装置１０が物理チャネル（例えば、ＰＤＳＣＨ、ＰＵＳＣＨなど）のスケジューリング（無線リソースへのマッピング）を指示する単位とすることができる。１つのサブフレームは複数のスロットから構成される。図２は、１つのサブフレームが２つのスロットから構成されている。すなわち、１つのスロットは、７つのＯＦＤＭシンボルから構成される。通信システム１は、スロットを、基地局装置１０が物理チャネルのスケジューリングを指示する単位としてもよい。なお、ＤＦＴ−ｓ−ＯＦＤＭを用いて通信を行う場合、前記ＯＦＤＭシンボルは、ＳＣ−ＦＤＭＡ（Single Carrier - Frequency Division Multiple Access）シンボルとなる。
【００５１】
図９は、本実施形態に係る基地局装置１０の構成の概略ブロック図である。基地局装置１０は、上位層処理部（上位層処理ステップ）１０２、制御部（制御ステップ）１０４、送信部（送信ステップ）１０６、送信アンテナ１０８、受信アンテナ１１０、受信部（受信ステップ）１１２を含んで構成される。送信部１０６は、上位層処理部１０２から入力される論理チャネルに応じて、下りリンクの送信信号（物理下りリンクチャネル）を生成する。送信部１０６は、符号化部（符号化ステップ）１０６０、変調部（変調ステップ）１０６２、下りリンク制御信号生成部（下りリンク制御信号生成ステップ）１０６４、下りリンク参照信号生成部（下りリンク参照信号生成ステップ）１０６６、多重部（多重ステップ）１０６８、および無線送信部（無線送信ステップ）１０７０を含んで構成される。受信部１１２は、物理上りリンクチャネルを検出し（復調、復号など）、その内容を上位層処理部１０２に入力する。受信部１１２は、無線受信部（無線受信ステップ）１１２０、伝搬路推定部（伝搬路推定ステップ）１１２２、多重分離部（多重分離ステップ）１１２４、等化部（等化ステップ）１１２６、復調部（復調ステップ）１１２８、復号部（復号ステップ）１１３０を含んで構成される。
【００５２】
上位層処理部１０２は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層などの物理層より上位層の処理を行なう。上位層処理部１０２は、送信部１０６および受信部１１２の制御を行なうために必要な情報を生成し、制御部１０４に出力する。上位層処理部１０２は、下りリンクデータ（DL-SCHなど）、システム情報(MIB, SIB)、ハイブリッド自動再送要求（Hybrid Automatic Request）インジケータ（ＨＡＲＱインジケータ）などを送信部１０６に出力する。
【００５３】
上位層処理部１０２は、ブロードキャストするシステム情報（MIB、又はSIBの一部）を生成、又は上位ノードから取得する。上位層処理部１０２は、ＢＣＨ／ＤＬ−ＳＣＨとして、前記ブロードキャストするシステム情報を送信部１０６に出力する。前記ＭＩＢは、送信部１０６において、ＰＢＣＨに配置される。前記ＳＩＢは、送信部１０６において、ＰＤＳＣＨに配置される。
【００５４】
上位層処理部１０２は、各端末装置のための各種ＲＮＴＩを設定する。前記ＲＮＴＩは、ＰＤＣＣＨ、ＰＤＳＣＨなどの暗号化（スクランブリング）に用いられる。上位層処理部１０２は、前記識別子に関する設定情報を、制御部１０４／送信部１０６／受信部１１２に出力する。
【００５５】
上位層処理部１０２は、ＰＤＳＣＨに配置される下りリンクデータ（トランスポートブロック、DL-SCH）、端末装置固有のシステムインフォメーション（System Information Block: SIB）、ＲＲＣメッセージ、ＭＡＣ  ＣＥなどを生成、又は上位ノードから取得し
、送信部１０６に出力する。上位層処理部１０２は、端末装置２０の各種設定情報の管理をする。なお、無線リソース制御の機能の一部は、ＭＡＣレイヤや物理レイヤで行われてもよい。
【００５６】
ＲＲＣメッセージは、ＣＱＩレポート（ＣＳＩレポートとも称する）の設定情報を含む。ＣＱＩレポートの設定情報は、２５６ＱＡＭモードのためのＣＱＩレポート設定(２５
６ＱＡＭモードＣＱＩレポート設定)と１０２４ＱＡＭモードのためのＣＱＩレポート設
定(１０２４ＱＡＭモードＣＱＩレポート設定)のパラメータを含む。２５６ＱＡＭモードＣＱＩレポート設定は、６４ＱＡＭモードＣＱＩテーブル（図３のＣＱＩテーブル）と２５６ＱＡＭモードＣＱＩテーブル（図４のＣＱＩテーブル）を用いてＣＱＩレポートを行う設定である。１０２４ＱＡＭモードＣＱＩレポート設定は、６４ＱＡＭモードＣＱＩテーブル（図３のＣＱＩテーブル）と１０２４ＱＡＭモードＣＱＩテーブル（図５のＣＱＩテーブル）を用いてＣＱＩレポートを行う設定である。
【００５７】
本実施形態において、２５６ＱＡＭモードＣＱＩレポート設定および１０２４ＱＡＭモードＣＱＩレポート設定は各々、「ＣＳＩ測定サブフレームセット」と「ＣＱＩテーブル選択」の２つのパラメータをもつ。「ＣＳＩ測定サブフレームセット」は、同一のＣＱＩテーブルを用いてＣＳＩ測定を行うサブフレーム群を示す情報である。「ＣＳＩ測定サブフレームセット」は、サブフレームに対応するビットマップによって、２つのサブフレームセットを示す。例えば、１０ビットから成る「ＣＳＩ測定サブフレームセット」が(1, 0, 1, 0, 1, 0, 1, 0, 1, 0)と設定された場合、各ビットは、左のビットから順に、サブフレーム＃０、＃１、・・・＃９に一致する。この場合、「ＣＳＩ測定サブフレームセット」は、「０」に一致するサブフレーム＃１、＃３、＃５、＃７、＃９からなる「第１のＣＳＩサブフレームセット」と、「１」に一致するサブフレーム＃０、＃２、＃４、＃６、＃８からなる「第２のＣＳＩサブフレームセット」を示す。なお、「ＣＳＩ測定サブフレームセット」は、スロット単位でグループを作ることができる。この場合、「ＣＳＩ測定サブフレームセット」は２０ビットのビットマップで構成され、各ビットはスロット番号と一致する。
【００５８】
２５６ＱＡＭモードＣＱＩレポート設定情報内の「ＣＱＩテーブル選択」パラメータは、２５６ＱＡＭモードＣＱＩテーブルの適用するサブフレームを示す設定情報である。上位層処理部１０２は、「ＣＱＩテーブル選択」に、「全サブフレーム」、前記「第１のＣＳＩサブフレームセット」、または前記「第２のＣＳＩサブフレームセット」を設定する。「全サブフレーム」が設定された場合、「ＣＱＩテーブル選択」は、全サブフレームに対するＣＱＩレポートにおいて、２５６ＱＡＭモードＣＱＩテーブルを適用することを示
す。前記「第１のＣＳＩ測定サブフレームセット」が設定された場合、「ＣＱＩテーブル選択」は、第１のＣＳＩサブフレームセットに含まれるサブフレームに対するＣＱＩレポートにおいて、２５６ＱＡＭモードＣＱＩテーブルを適用することを示す。この場合、さらに、「ＣＱＩテーブル選択」は、第１のＣＳＩサブフレームセットに含まれないサブフレーム（＃０、＃２、＃４、＃６、＃８）に対するＣＱＩレポートにおいて、６４ＱＡＭモードＣＱＩテーブル（言い換えると、リファレンスＣＱＩテーブル）を適用することを示す。一方、前記「第２のＣＳＩサブフレームセット」が設定された場合、「ＣＱＩテーブル選択」は、「第２のＣＳＩサブフレームセット」に含まれるサブフレームに対するＣＱＩレポートにおいて、２５６ＱＡＭモードＣＱＩテーブルを適用することを示す。この場合、さらに、「ＣＱＩテーブル選択」は、第２のＣＳＩサブフレームセットに含まれないサブフレーム（＃１、＃３、＃５、＃７、＃９）に対するＣＱＩレポートにおいて、６４ＱＡＭモードＣＱＩテーブルを適用することを示す。
【００５９】
同様に、１０２４ＱＡＭモードＣＱＩレポート設定は、「ＣＳＩ測定サブフレームセット」と「ＣＱＩテーブル選択」の２つのパラメータを含む。該「ＣＳＩ測定サブフレームセット」は、上記と同様に、サブフレームに対応するビットマップによって、２つのサブフレームセットを示す。１０２４ＱＡＭモードＣＱＩレポート設定情報内の「ＣＱＩテーブル選択」は、１０２４ＱＡＭモードＣＱＩテーブルの適用するサブフレームを示す設定情報である。上位層処理部１０２は、「ＣＱＩテーブル選択」に、「全サブフレーム」、「第１のＣＳＩサブフレームセット」、または「第２のＣＳＩサブフレームセット」を設定する。「全サブフレーム」が設定された場合、「ＣＱＩテーブル選択」は、全サブフレームに対するＣＱＩレポートにおいて、１０２４ＱＡＭモードＣＱＩテーブルを適用することを示す。前記「第１のＣＳＩサブフレームセット」が設定された場合、「ＣＱＩテーブル選択」は、第１のＣＳＩサブフレームセットに含まれるサブフレームに対するＣＱＩレポートにおいて、１０２４ＱＡＭモードＣＱＩテーブルを適用することを示す。この場合、さらに、「ＣＱＩテーブル選択」は、第１のＣＳＩサブフレームセットに含まれないサブフレーム（＃０、＃２、＃４、＃６、＃８）に対するＣＱＩレポートにおいて、６４ＱＡＭモードＣＱＩテーブル（言い換えると、リファレンスＣＱＩテーブル）を適用することを示す。一方、前記「第２のＣＳＩサブフレームセット」が設定された場合、「ＣＱＩテーブル選択」は、第２のＣＳＩサブフレームセットに含まれるサブフレームに対するＣＱＩレポートにおいて、１０２４ＱＡＭモードＣＱＩテーブルを適用することを示す。この場合、さらに、「ＣＱＩテーブル選択」は、第２のＣＳＩサブフレームセットに含まれないサブフレーム（＃１、＃３、＃５、＃７、＃９）に対するＣＱＩレポートにおいて、６４ＱＡＭモードＣＱＩテーブルを適用することを示す。
【００６０】
図１０は、本実施形態に係るＣＱＩテーブルの状態遷移例を示す図である。図１０において、６４ＱＡＭモードＣＱＩ（Ｓ１０−１）は、６４ＱＡＭモードＣＱＩテーブルのみを用いてＣＱＩレポートする状態（またはリファレンステーブルを適用してＣＱＩレポートする状態）を示す。２５６ＱＡＭモードＣＱＩ（Ｓ２０−１）は、６４ＱＡＭモードＣＱＩテーブル／２５６ＱＡＭモードＣＱＩテーブルを用いてＣＱＩレポートする状態（またはリファレンステーブルを適用してＣＱＩレポートする状態）を示す。１０２４ＱＡＭモードＣＱＩ（Ｓ３０−１）は、６４ＱＡＭモードＣＱＩテーブル／１０２４ＱＡＭモードＣＱＩテーブルを用いてＣＱＩレポートする状態（またはリファレンステーブルを適用してＣＱＩレポートする状態）を示す。本実施形態に係る通信システムは、６４ＱＡＭモードＣＱＩと２５６ＱＡＭモードＣＱＩ間の状態遷移（Ｔ１２−１、Ｔ２１−１）及び６４ＱＡＭモードＣＱＩと１０２４ＱＡＭモードＣＱＩ間の状態遷移（Ｔ１３−１、Ｔ３１−１）に制限される（２５６ＱＡＭモードＣＱＩと１０２４ＱＡＭモードＣＱＩ間の状態遷移は禁止される）。
【００６１】
状態遷移Ｔ１２−１は、「ＣＱＩテーブル選択」をセット（set）することを示す２５
６ＱＡＭモードＣＱＩレポート設定によって行われる。状態遷移Ｔ２１−１は、「ＣＱＩテーブル選択」をリリース（release）することを示す２５６ＱＡＭモードＣＱＩレポー
ト設定によって行われる。状態遷移Ｔ１３−１は、「ＣＱＩテーブル選択」をセットすることを示す１０２４ＱＡＭモードＣＱＩレポート設定によって行われる。状態遷移Ｔ２１−１は、「ＣＱＩテーブル選択」をリリースすることを示す１０２４ＱＡＭモードＣＱＩレポート設定によって行われる。したがって、２５６ＱＡＭモードＣＱＩ（Ｓ２０−１）から１０２４ＱＡＭモードＣＱＩ（Ｓ３０−１）への状態遷移は、「ＣＱＩテーブル選択」をリリースすることを示す２５６ＱＡＭモードＣＱＩレポート設定、および「ＣＱＩテーブル選択」をセットすることを示す１０２４ＱＡＭモードＣＱＩレポート設定を含むＣＱＩレポート設定情報を送信することで行われる。「ＣＱＩテーブル選択」をセットすること」は、「全サブフレーム」、「第１のＣＳＩサブフレームセット」または「第２のＣＳＩサブフレームセット」のいずれかを「ＣＱＩテーブル選択」に設定することで示される。
【００６２】
通信システム１は、ＣＱＩレポートの設定情報において、２５６ＱＡＭモードＣＱＩレポート設定および１０２４ＱＡＭモードＣＱＩレポート設定の両方がセットされることを排除しない。両方がセットされた場合、１０２４ＱＡＭモードＣＱＩレポート設定内容が優先される。優先方法として、全サブフレームにおいて、１０２４ＱＡＭモードＣＱＩレポート設定が優先される。ま別の優先方法として、１０２４ＱＡＭモードＣＱＩテーブルの適用と２５６ＱＡＭモードＣＱＩテーブルの適用が重複（衝突）するサブフレームのみ、１０２４ＱＡＭモードＣＱＩテーブルを適用するようにしてもよい。この場合、２５６ＱＡＭモードＣＱＩテーブルの適用が設定されたサブフレーム、かつ１０２４ＱＡＭモードＣＱＩテーブル不適用が設定されたサブフレームは、２５６ＱＡＭモードＣＱＩテーブルが適用される。
【００６３】
上位層処理部１０２は、端末装置がサポートする機能（UE capability）等、端末装置
に関する情報を端末装置２０（受信部１１２を介して）から受信する。端末装置２０は、自身の機能を基地局装置１０に上位層の信号（ＲＲＣシグナリング）で送信する。端末装置に関する情報は、その端末装置が所定の機能をサポートするかどうかを示す情報、または、その端末装置が所定の機能に対する導入およびテストの完了を示す情報を含む。所定の機能をサポートするかどうかは、所定の機能に対する導入およびテストを完了しているかどうかを含む。
【００６４】
端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しないようにしてよい。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【００６５】
UE capabilityは、端末装置２０が前記２５６ＱＡＭモードＣＱＩレポート設定／１０
２４ＱＡＭモードＣＱＩレポート設定をサポートしているかを示す情報を含む。上位層処理部１０２／制御部１０４は、UE capabilityに基づいて、２５６ＱＡＭモードＣＱＩレ
ポート設定／１０２４ＱＡＭモードＣＱＩレポート設定を行う。
【００６６】
上位層処理部１０２は、受信部１１２を介して、ＰＤＳＣＨに含まれるＣＳＩレポート（Aperiodic CSI）を端末装置２０から受信する。上位層処理部１０２は、前記ＣＳＩレ
ポートに含まれる前記ＣＱＩインデックスを制御部１０４に入力する。
【００６７】
上位層処理部１０２は、受信部１１２から復号後の上りリンクデータ（ＣＲＣも含む）からDL-SCHを取得する。上位層処理部１０２は、端末装置が送信した前記上りリンクデータに対して誤り検出を行う。例えば、該誤り検出はＭＡＣ層で行われる。上位層処理部１０２は、誤り検出結果に基づいて、ＨＡＲＱインジケータ（ＡＣＫ／ＮＡＣＫを示すビット系列）を生成する。上りリンクデータに対するＨＡＲＱインジケータは、トランスポートブロック毎に出力される。上位層処理部１０２は、ＨＡＲＱインジケータを送信部１０６に出力する。例えば、ＡＣＫ「１」、ＮＡＣＫ「０」の各１ビットが出力される。ＨＡＲＱインジケータは、ＰＨＩＣＨ／ＰＤＣＣＨの生成に用いられる。
【００６８】
制御部１０４は、上位層処理部１０２／受信部１１２から入力された各種設定情報に基づいて、送信部１０６および受信部１１２の制御を行なう。制御部１０４は、上位層処理部１０２／受信部１１２から入力された設定情報に基づいて、下りリンク制御情報（ＤＣＩ）を生成し、送信部１０６に出力する。制御部１０４は、上位層処理部１０２／受信部１１２から入力されたＣＳＩレポート（Aperiodic CQI/Periodic CQI）を考慮して、ＰＤＳＣＨに施すＭＣＳを決定する。なお、制御部１０４の一部の機能は、上位層処理部１０２に含めることができる。
【００６９】
図１１は、本実施形態に係るＭＣＳの設定フロー例を示す図である。制御部１０４は、図２〜図４のＣＱＩテーブル及び図５〜図７のＭＣＳテーブルを保持する。Ｐ−ＲＮＴＩ、ＲＡ−ＲＮＴＩ、ＳＩ−ＲＮＴＩを除くＲＮＴＩでスクランブルされるＣＲＣをもつＤＣＩが用いられる場合、制御部１０４は図１１の手順によって、ＰＤＳＣＨの変調方式を決定する。制御部１０４は、前記ＣＳＩレポートに含まれるＣＱＩインデックスを取得する（Ｓ１０１）。該ＣＱＩインデックスは、端末装置２０にとって好適な変調方式および符号化率を示している。制御部１０４は、ＰＤＳＣＨのトランスポートブロックサイズおよびＰＤＳＣＨ送信に用いられる帯域幅（リソースブロック数）に加え、該ＣＱＩインデックスの内容を考慮して、ＰＤＳＣＨに用いる変調オーダーを決定する。
【００７０】
上位層処理部１０２が１０２４ＱＡＭモードＣＱＩテーブルの選択を設定している場合において、所定のＤＣＩフォーマットをもったＰＤＣＣＨ／ＥＰＤＣＣＨによってＰＤＳＣＨを割り当てるとき（Ｓ１０２のＹＥＳ）、制御部１０４は、該ＰＤＳＣＨに用いる変調オーダーを決定するために、１０２４ＱＡＭモードＣＱＩテーブルおよびＭＣＳインデックスを用いる。制御部１０４は、１０２４ＱＡＭモードＣＱＩテーブルを用いて設定した該ＭＣＳインデックスをＤＣＩに含める（Ｓ１０３）。制御部１０４は、さらに該ＭＣＳインデックスで示される変調オーダーを送信部１０６に入力する。送信部１０６は、該変調オーダーに基づいて変調したＰＤＳＣＨを送信する（Ｓ１０４）。
【００７１】
ステップＳ１０２でＮＯの場合、上位層処理部１０２が２５６ＱＡＭモードＣＱＩテーブルの選択を設定しているか、を判断する（Ｓ１０５）。上位層処理部１０２が２５６ＱＡＭモードの「ＣＱＩテーブル選択」を設定している場合、所定のＤＣＩフォーマットをもったＰＤＣＣＨ／ＥＰＤＣＣＨによってＰＤＳＣＨを割り当てるとき（Ｓ１０５のＹＥＳ）、制御部１０４は、該ＰＤＳＣＨに用いる変調オーダーを決定するために、２５６ＱＡＭモードＣＱＩテーブルおよびＭＣＳインデックスを用いる。制御部１０４は、１０２４ＱＡＭモードＣＱＩテーブルを用いて設定した該ＭＣＳインデックスをＤＣＩに含める（Ｓ１０６）。制御部１０４は、さらに該ＭＣＳインデックスで示される変調オーダーを送信部１０６に入力する。送信部１０６は、該変調オーダーに基づいて変調したＰＤＳＣＨを送信する（Ｓ１０７）。
【００７２】
ステップＳ１０５でＮＯの場合（すなわち、Ｓ１０２およびＳ１０５の条件を充たさない場合）、制御部１０４は、該ＰＤＳＣＨに用いる変調オーダーを決定するために、６４ＱＡＭモードＣＱＩテーブルおよびＭＣＳインデックスを用いる。制御部１０４は、６４
ＱＡＭモードＣＱＩテーブルを用いて設定した該ＭＣＳインデックスをＤＣＩに含める（Ｓ１０８）。制御部１０４は、さらに該ＭＣＳインデックスで示される変調オーダーを送信部１０６に入力する。送信部１０６は、該変調オーダーに基づいて変調したＰＤＳＣＨを送信する（Ｓ１０９）。ここで、Ｓ１０２およびＳ１０５における所定のＤＣＩフォーマットは、Ｃ−ＲＮＴＩによってスクランブルされたＣＲＣをもつＤＣＩフォーマット１／１Ｂ／１Ｄ／２／２Ａ／２Ｂ／２Ｃ／２Ｄである。これらのＤＣＩフォーマットは、ＣＳＳ（セル共通サーチスペース）に加え、ＵＳＳ（ユーザ固有のサーチスペース）用いてＰＤＣＣＨ送信できるフォーマットである。以上のように、ＰＤＳＣＨのために選択できる変調方式の異なる３種類のＭＣＳテーブル／ＣＳＩテーブルを用いることで、伝搬路状況やアプリケーションに応じて、ＰＤＳＣＨのために選択できるＭＣＳの範囲を柔軟に変更することができる。
【００７３】
なお、制御部１０４はＳ１０２およびＳ１０５における所定のＤＣＩフォーマットにおいて、「Ｃ−ＲＮＴＩ」を「ＳＰＳ  Ｃ−ＲＮＴＩ」と読み替えることもできる。これにより、Semi-Persistent schedulingを用いて実現されるアプリケーションに応じて、ＰＤＳＣＨのために選択できるＭＣＳの範囲を柔軟に変更することができる。
【００７４】
送信部１０６は、上位層処理部１０２／制御部１０４から入力された信号に従って、ＰＢＣＨ、ＰＨＩＣＨ、ＰＤＣＣＨ、ＰＤＳＣＨおよび下りリンク参照信号などを生成する。符号化部１０６０は、上位層処理部１０２から入力されたＢＣＨ、ＤＬ−ＳＣＨ、ＨＡＲＱインジケータなどを、予め定められた／上位層処理部１０２が決定した符号化方式を用いて、ブロック符号化、畳み込み符号化、ターボ符号化などの符号化（リピティションを含む）を行なう。符号化部１０６０は、制御部１０４から入力された符号化率に基づいて、符号化ビットをパンクチャリングする。変調部１０６２は、符号化部１０６０から入力された符号化ビットをＢＰＳＫ、ＱＰＳＫ、１６ＱＡＭ、６４ＱＡＭ、２５６ＱＡＭ、１０２４ＱＡＭ等の予め定められた／制御部１０４から入力された変調方式（変調オーダー）でデータ変調する。
【００７５】
下りリンク制御信号生成部１０６４は、制御部１０４から入力されたＤＣＩに対してＣＲＣを付加する。下りリンク制御信号生成部１０６４は、前記ＣＲＣに対して、ＲＮＴＩを用いて暗号化（スクランブリング）を行う。さらに、下りリンク制御信号生成部１０６４は、前記ＣＲＣが付加されたＤＣＩに対してＱＰＳＫ変調を行い、ＰＤＣＣＨを生成する。下りリンク参照信号生成部１０６６は、端末装置が既知の系列を下りリンク参照信号として生成する。前記既知の系列は、基地局装置１０を識別するための物理セル識別子などの基に予め定められた規則で求まる。
【００７６】
多重部１０６８は、ＰＤＣＣＨ／下りリンク参照信号／変調部１０６２から入力される各チャネルの変調シンボルを多重する。つまり、多重部１０６８は、ＰＤＣＣＨ／下りリンク参照信号を／各チャネルの変調シンボルをリソースエレメントにマッピングする。マッピングするリソースエレメントは、前記制御部１０４から入力される下りリンクスケジューリングによって制御される。リソースエレメントは、１つのＯＦＤＭシンボルと１つのサブキャリアからなる物理リソースの最小単位である。なお、ＭＩＭＯ伝送を行う場合、送信部１０６は符号化部１０６０および変調部１０６２をレイヤ数具備する。この場合、上位層処理部１０２は、各レイヤのトランスポートブロック毎にＭＣＳを設定する。
【００７７】
無線送信部１０７０は、多重された変調シンボルなどを逆高速フーリエ変換（Inverse Fast Fourier Transform: IFFT）してＯＦＤＭシンボルを生成する。無線送信部１０７０は、前記ＯＦＤＭシンボルにサイクリックプレフィックス（cyclic prefix: CP）を付加
してベースバンドのディジタル信号を生成する。さらに、無線送信部１０７０は、前記ディジタル信号をアナログ信号に変換し、フィルタリングにより余分な周波数成分を除去し
、搬送周波数にアップコンバートし、電力増幅し、送信アンテナ１０８に出力して送信する。
【００７８】
受信部１１２は、制御部１０４の指示に従って、受信アンテナ１１０を介して端末装置２０からの受信信号を検出（分離、復調、復号）し、復号したデータを上位層処理部１０２／制御部１０４に入力する。無線受信部１１２０は、受信アンテナ１１０を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。無線受信部１１２０は、変換したディジタル信号からＣＰに相当する部分を除去する。無線受信部１１２０は、ＣＰを除去した信号に対して高速フーリエ変換（Fast Fourier Transform: FFT）を行い、周波数領域の信号を抽出する。
前記周波数領域の信号は、多重分離部１１２４に出力される。
【００７９】
多重分離部１１２４は、制御部１０４から入力される上りリンクのスケジューリングの情報（上りリンクデータチャネル割当て情報など）に基づいて、無線受信部１１２０から入力された信号をＰＵＳＣＨ、ＰＵＣＣＨ及上りリンク参照信号などの信号に分離する。前記分離された上りリンク参照信号は、伝搬路推定部１１２２に入力される。前記分離されたＰＵＳＣＨ、ＰＵＣＣＨは、等化部１１２６に出力する。
【００８０】
伝搬路推定部１１２２は、上りリンク参照信号を用いて、周波数応答（または遅延プロファイル）を推定する。復調用に伝搬路推定された周波数応答結果は、等化部１１２６へ入力される。伝搬路推定部１１２２は、上りリンク参照信号を用いて、上りリンクのチャネル状況の測定（RSRP(Reference Signal Received Power)、RSRQ(Reference Signal Received Quality)、RSSI(Received Signal Strength Indicator)の測定）を行う。上りリンクのチャネル状況の測定は、ＰＵＳＣＨのためのＭＣＳの決定などに用いられる。
【００８１】
等化部１１２６は、伝搬路推定部１１２２より入力された周波数応答より伝搬路での影響を補償する処理を行う。補償の方法としては、ＭＭＳＥ重みやＭＲＣ重みを乗算する方法や、ＭＬＤを適用する方法等、既存のいかなる伝搬路補償を適用することができる。復調部１１２８は、予め決められている／制御部１０４から指示される変調方式の情報に基づき、復調処理を行う。なお、下りリンクにおいてＤＦＴ−ｓ−ＯＦＤＭが用いられる場合、復調部１１２８は、等化部１１２６の出力信号に対してＩＤＦＴ処理を行った結果に対して、復調処理を行う。
【００８２】
復号部１１３０は、予め決められている符号化率／制御部１０４から指示される符号化率の情報に基づいて、前記復調部の出力信号に対して復号処理を行う。復号部１１３０は、復号後のデータ（UL-SCHなど）を上位層処理部１０２に入力する。
【００８３】
図１２は、本実施形態における端末装置２０の構成を示す概略ブロック図である。端末装置２０は、上位層処理部（上位層処理ステップ）２０２、制御部（制御ステップ）２０４、送信部（送信ステップ）２０６、送信アンテナ２０８、受信アンテナ２１０および受信部（受信ステップ）２１２を含んで構成される。
【００８４】
上位層処理部２０２は、媒体アクセス制御（ＭＡＣ）層、パケットデータ統合プロトコル（ＰＤＣＰ）層、無線リンク制御（ＲＬＣ）層、無線リソース制御（ＲＲＣ）層の処理を行なう。上位層処理部２０２は、自端末装置の各種設定情報の管理をする。上位層処理部２０２は、自端末装置がサポートしている端末装置の機能を示す情報（UE Capability
）を、送信部２０６を介して、基地局装置１０へ通知する。上位層処理部２０２は、UE CapabilityをＲＲＣシグナリングで通知する。例えば、UE Capabilityは、２５６ＱＡＭモ
ードＣＱＩレポート設定／１０２４ＱＡＭモードＣＱＩレポート設定をサポートしているかを示す情報を含む。
【００８５】
上位層処理部２０２は、下りリンクの伝搬路状況（チャネル状況）の測定結果（ＣＳＩ測定結果）を受信部２１２から取得する。
【００８６】
上位層処理部２０２は、基地局装置１０が送信したＲＲＣメッセージを受信部２１２から取得する。ＲＲＣメッセージは、ＣＱＩレポートの設定情報を含む。該ＣＱＩレポートの設定情報は、２５６ＱＡＭモードＣＱＩレポート設定と１０２４ＱＡＭモードＣＱＩレポート設定を含む。上位層処理部２０２は、前記ＣＳＩ測定結果に加え、該ＣＱＩレポートの設定情報に含まれる「ＣＳＩ測定サブフレームセット」と「ＣＱＩテーブル選択」パラメータに基づいて、ＰＤＳＣＨのトランスポートブロックが所定のブロック誤り確率（例えば、誤り率０．１）を超えずに受信可能であろうＣＱＩインデックスをＣＱＩテーブルから選択する。上位層処理部２０２は、該ＣＱＩインデックスを含むＣＱＩレポートを生成する（Aperiodic CQI）。
【００８７】
前記ＣＱＩレポート設定情報は、ＣＱＩレポート(Periodic CQI)の周期性に関する設定情報（ＣＱＩのレポート区間など）を含む。該周期性に関する設定情報は、前記ＣＱＩインデックスとともに、制御部２０４に入力される。Periodic CQIに含まれるＣＱＩインデックスは、ＵＣＩに含まれる。上位層処理部２０２は、前記「ＣＳＩ測定サブフレームセット」と前記「ＣＱＩテーブル選択」を制御部２０４に入力する。
【００８８】
図１３は、本実施形態に係るＣＱＩインデックスの設定フロー例を示す図である。上位層処理部２０２は、図２〜図４のＣＱＩテーブル及び図５〜図７のＭＣＳテーブルを保持する。上位層処理部２０２は、１０２４ＱＡＭモードの「ＣＱＩテーブル選択」がセットされている場合（Ｓ２０１）、該「ＣＱＩテーブル選択」によって指示されたサブフレームに対して、１０２４ＱＡＭモードＣＱＩテーブルを適用する（Ｓ２０２）。この場合、上位層処理部２０２は、「ＣＱＩテーブル選択」が「全フレーム」を設定したとき、全サブフレームに対して、１０２４ＱＡＭモードＣＱＩテーブルを用いてＣＱＩインデックスを算出する。上位層処理部２０２は、「ＣＱＩテーブル選択」が「第１のＣＳＩサブフレームセット」を設定したとき、該「第１のＣＳＩサブフレームセット」で示されたサブフレームに対して、１０２４ＱＡＭモードＣＱＩテーブルを用いて、ＣＱＩインデックスを算出する。一方、該「第１のＣＳＩサブフレームセット」で示されないサブフレームに対して、６４ＱＡＭモードＣＱＩテーブルを用いて、ＣＱＩインデックスを算出する。上位層処理部２０２は、「ＣＱＩテーブル選択」が「第２のＣＳＩサブフレームセット」を設定したときも同様に、ＣＱＩインデックスを算出する。上位層処理部２０２は、前記ＣＱＩインデックスをＰＵＳＣＨ／ＰＤＳＣＨを用いて基地局装置１０に送信する（Ｓ２０３）。
【００８９】
上位層処理部２０２は、Ｓ２０１でＮＯの場合、２５６ＱＡＭモードの「ＣＱＩテーブル選択」がセットされているか判断する（Ｓ２０４）。「ＣＱＩテーブル選択」がセットされている場合、該「ＣＱＩテーブル選択」によって指示されたサブフレームに対して、２５６ＱＡＭモードＣＱＩテーブルを適用する（Ｓ２０５）。この場合、上位層処理部２０２は、「ＣＱＩテーブル選択」が「全フレーム」を設定したとき、全サブフレームに対して、２５６ＱＡＭモードＣＱＩテーブルを用いてＣＱＩインデックスを算出する。上位層処理部２０２は、「ＣＱＩテーブル選択」が「第１のＣＳＩサブフレームセット」を設定したとき、該「第１のＣＳＩサブフレームセット」で示されたサブフレームに対して、２５６ＱＡＭモードＣＱＩテーブルを用いて、ＣＱＩインデックスを算出する。一方、該「第１のＣＳＩサブフレームセット」で示されないサブフレームに対して、６４ＱＡＭモードＣＱＩテーブルを用いて、ＣＱＩインデックスを算出する。上位層処理部２０２は、
「ＣＱＩテーブル選択」が「第２のＣＳＩサブフレームセット」を設定したときも同様に、ＣＱＩインデックスを算出する。上位層処理部２０２は、前記ＣＱＩインデックスをＰＵＳＣＨ／ＰＤＳＣＨを用いて基地局装置１０に送信する（Ｓ２０６）。上位層処理部２０２は、Ｓ２０４でＮＯの場合、全サブフレームに対して、６４ＱＡＭモードＣＱＩテーブルを適用する（Ｓ２０７）。
【００９０】
上位層処理部２０２は、ＤＬ−ＳＣＨ、ＢＣＨなどの復号後のデータを受信部２１２から取得する。上位層処理部２０２は、前記ＤＬ−ＳＣＨの誤り検出結果から、ＨＡＲＱ−ＡＣＫを生成する。上位層処理部２０２は、ＳＲを生成する。上位層処理部２０２は、ＨＡＲＱ−ＡＣＫ／ＳＲ／ＣＳＩ（ＣＱＩレポートを含む）を含むＵＣＩを生成する。上位層処理部２０２は、前記ＵＣＩやＵＬ−ＳＣＨを送信部２０６に入力する。なお、上位層処理部２０２の機能の一部は、制御部２０４に含めてもよい。
【００９１】
制御部２０４は、前記周期性に関する設定情報に従って、ＵＣＩで送信するＣＱＩレポート(Aperiodic CQI)を制御する。制御部２０４は、受信部２１２を介して受信した下り
リンク制御情報（ＤＣＩ）を解釈する。制御部２０４は、上りリンク送信のためのＤＣＩから取得したＰＵＳＣＨのスケジューリング／ＭＣＳインデックス／ＴＰＣ（Transmission Power Control）などに従って、送信部２０６を制御する。制御部２０４は、下りリンク送信のためのＤＣＩから取得したＰＤＳＣＨのスケジューリング／ＭＣＳインデックスなどに従って、受信部２１２を制御する。
【００９２】
図１４は、本実施形態に係るＭＣＳインデックスの解釈フロー例を示す図である。制御部２０４は、図２〜図４のＣＱＩテーブル及び図５〜図７のＭＣＳテーブルを保持する。Ｐ−ＲＮＴＩ、ＲＡ−ＲＮＴＩ、ＳＩ−ＲＮＴＩを除くＲＮＴＩでスクランブルされるＣＲＣをもつＤＣＩが用いられる場合、制御部２０４は図１４のフローによって、ＰＤＳＣＨの復調に用いる変調オーダーを決定する。制御部２０４は、「ＣＱＩテーブル選択設定」を取得すると（Ｓ３０１）、１０２４ＱＡＭモードの「ＣＱＩテーブル選択」であるか、を判断する（Ｓ３０２）。１０２４ＱＡＭモードの「ＣＱＩテーブル選択」である場合、所定のＤＣＩフォーマットをもったＰＤＣＣＨ／ＥＰＤＣＣＨによってＰＤＳＣＨを割り当てるとき（Ｓ３０２のＹＥＳ）、制御部２０４は、該ＰＤＳＣＨの復調に用いる変調オーダーを決定するために、１０２４ＱＡＭモードＣＱＩテーブルおよび該ＤＣＩに含まれるＭＣＳインデックスを用いる（Ｓ３０３）。制御部２０４は、１０２４ＱＡＭモードＣＱＩテーブルおよび該ＭＣＳインデックスから算出した変調オーダーに従って、ＰＤＳＣＨの復調を制御する（Ｓ３０４）。
【００９３】
ステップＳ３０２でＮＯの場合、上位層処理部２０２が２５６ＱＡＭモードの「ＣＱＩテーブルの選択」をセットしているか、を判断する（Ｓ３０５）。上位層処理部２０２が２５６ＱＡＭモードの「ＣＱＩテーブル選択」をセットしている場合、所定のＤＣＩフォーマットをもったＰＤＣＣＨ／ＥＰＤＣＣＨによってＰＤＳＣＨを割り当てるとき（Ｓ３０５のＹＥＳ）、制御部２０４は、該ＰＤＳＣＨの復調に用いる変調オーダーを決定するために、２５６ＱＡＭモードＣＱＩテーブルおよび該ＤＣＩに含まれるＭＣＳインデックスを用いる（Ｓ３０６）。制御部２０４は、２５６ＱＡＭモードＣＱＩテーブルおよび該ＭＣＳインデックスから算出した変調オーダーに従って、ＰＤＳＣＨの復調を制御する（Ｓ３０７）。
【００９４】
ステップＳ３０５でＮＯの場合（すなわち、Ｓ３０２およびＳ３０５の条件を充たさない場合）、制御部２０４は、該ＰＤＳＣＨに用いる変調オーダーを決定するために、６４ＱＡＭモードＣＱＩテーブルおよび該ＤＣＩに含まれるＭＣＳインデックスを用いる（Ｓ３０８）。制御部２０４は、６４ＱＡＭモードＣＱＩテーブルおよび該ＭＣＳインデックスから算出した変調オーダーに従って、ＰＤＳＣＨの復調を制御する（Ｓ３０９）。ここ
で、Ｓ３０２およびＳ３０５における所定のＤＣＩフォーマットは、Ｃ−ＲＮＴＩによってスクランブされたＣＲＣをもつＤＣＩフォーマット１／１Ｂ／１Ｄ／２／２Ａ／２Ｂ／２Ｃ／２Ｄである。これらのＤＣＩフォーマットは、ＣＳＳ（セル共通サーチスペース）に加え、ＵＳＳ（ユーザ固有のサーチスペース）用いてＰＤＣＣＨ送信できるフォーマットである。
【００９５】
送信部２０６は、符号化部（符号化ステップ）２０６０、変調部（変調ステップ）２０６２、上りリンク参照信号生成部（上りリンク参照信号生成ステップ）２０６４、上りリンク制御信号生成部（上りリンク制御信号生成ステップ）２０６６、多重部（多重ステップ）２０６８、無線送信部（無線送信ステップ）２０７０を含んで構成される。
【００９６】
符号化部２０６０は、制御部２０４の制御に従って、上位層処理部２０２から入力された上りリンクデータ（UL-SCH）を畳み込み符号化、ブロック符号化、ターボ符号化等の符号化を行う。
【００９７】
変調部２０６２は、ＢＰＳＫ、ＱＰＳＫ、１６ＱＡＭ、６４ＱＡＭ、２５６ＱＡＭ、１０２４ＱＡＭ等の制御部２０４から指示された変調方式／チャネル毎に予め定められた変調方式で、符号化部２０６０から入力された符号化ビットを変調する（ＰＵＳＣＨのための変調シンボルを生成する）。なお、ＤＦＴ−Ｓ−ＯＦＤＭを用いる場合、変調後、ＤＦＴ（Discrete Fourier Transform）処理が行われる。
【００９８】
上りリンク参照信号生成部２０６４は、制御部２０４の指示に従って、基地局装置１０を識別するための物理セル識別子（physical cell identity: PCI、Cell IDなどと称される）、上りリンク参照信号を配置する帯域幅、サイクリックシフト、ＤＭＲＳシーケンスの生成に対するパラメータの値などを基に、予め定められた規則（式）で求まる系列を生成する。
【００９９】
上りリンク制御信号生成部２０６６は、制御部２０４の指示に従って、ＵＣＩを符号化、ＢＰＳＫ／ＱＰＳＫ変調を行い、ＰＵＣＣＨのための変調シンボルを生成する。
【０１００】
多重部２０６８は、制御部２０４からの上りリンクスケジューリング情報に従って、ＰＵＳＣＨのための変調シンボル、ＰＵＣＣＨのための変調シンボル、上りリンク参照信号を送信アンテナポート毎に多重する（つまり、各信号はリソースエレメントにマップされる）。
【０１０１】
無線送信部２０７０は、多重された信号をＩＦＦＴ（Inverse Fast Fourier Transform）して、ＯＦＤＭシンボルを生成する。無線送信部２０７０は、前記ＯＦＤＭシンボルにＣＰを付加し、ベースバンドのディジタル信号を生成する。さらに、無線送信部２０７０は、前記ベースバンドのディジタル信号をアナログ信号に変換し、余分な周波数成分を除去し、アップコンバートにより搬送周波数に変換し、電力増幅し、送信アンテナ２０８を介して基地局装置１０に送信する。
【０１０２】
受信部２１２は、無線受信部（無線受信ステップ）２１２０、多重分離部（多重分離ステップ）２１２２、伝搬路推定部（伝搬路推定ステップ）２１４４、等化部（等化ステップ）２１２６、復調部（復調ステップ）２１２８、復号部（復号ステップ）２１３０を含んで構成される。
【０１０３】
無線受信部２１２０は、受信アンテナ２１０を介して受信した下りリンク信号を、ダウンコンバートによりベースバンド信号に変換し、不要な周波数成分を除去し、信号レベルが適切に維持されるように増幅レベルを制御し、受信した信号の同相成分および直交成分
に基づいて、直交復調し、直交復調されたアナログ信号をディジタル信号に変換する。無線受信部２１２０は、変換したディジタル信号からＣＰに相当する部分を除去し、ＣＰを除去した信号に対してＦＦＴを行い、周波数領域の信号を抽出する。
【０１０４】
多重分離部２１２２は、前記抽出した周波数領域の信号を下りリンク参照信号、ＰＤＣＣＨ、ＰＵＳＣＨ、ＰＢＣＨに分離する。伝搬路推定部２１２４は、下りリンク参照信号（ＣＲＳ、ＤＭ−ＲＳなど）を用いて、周波数応答（または遅延プロファイル）を推定する。復調用に伝搬路推定された周波数応答結果は、等化部１１２６へ入力される。伝搬路推定部２１２４は、下りリンク参照信号（ＣＲＳ、ＣＳＩ−ＲＳなど）を用いて、上りリンクのチャネル状況の測定（RSRP(Reference Signal Received Power)、RSRQ(Reference Signal Received Quality)、RSSI(Received Signal Strength Indicator)、SINR(Signal to Interference plus Noise power Ratio）の測定)を行う。下りリンクのチャネル状況
の測定は、ＰＵＳＣＨのためのＭＣＳの決定などに用いられる。下りリンクのチャネル状況の測定結果は、ＣＱＩインデックスの決定などに用いられる。
【０１０５】
等化部２１２６は、伝搬路推定部２１２４より入力された周波数応答よりＭＭＳＥ規範に基づく等化重みを生成する。等化部２１２６は、多重分離部２１２２からの入力信号（ＰＵＣＣＨ、ＰＤＳＣＨ、ＰＢＣＨ、ＰＨＩＣＨなど）に該等化重みを乗算する。復調部２１２８は、予め決められている／制御部２０４から指示される変調オーダーの情報に基づき、復調処理を行う。
【０１０６】
復号部２１３０は、予め決められている符号化率／制御部２０４から指示される符号化率の情報に基づいて、前記復調部２１２８の出力信号に対して復号処理を行う。復号部２１３０は、復号後のデータ（DL-SCHなど）を上位層処理部２０２に入力する。
【０１０７】
以上のように、端末装置は、異なる変調方式から成る３種類のＭＣＳテーブル／ＣＳＩテーブルを用いてＰＤＳＣＨの復調に用いる変調オーダーを解釈することで、伝搬路状況やアプリケーションに応じて、ＰＤＳＣＨの復調のために選択できるＭＣＳの範囲を柔軟に変更することができる。
（第２の実施形態）
本実施形態の通信システムでは、同一のＣＱＩテーブルを用いてＣＳＩ測定を行うサブフレーム群を示す情報を２５６ＱＡＭモード及び１０２４ＱＡＭモードで共有して用いる場合の例である。本実施形態に係る通信システム１（図１）は、基地局装置１０（図９）及び端末装置２０（図１２）で構成される。本実施形態に係る通信システム１（基地局装置１０及び端末装置２０）は、図２から図４のＣＱＩテーブル及び図５から図７のＭＣＳテーブルを共有する。以下、第１の実施形態との相違点／追加点を主に説明する。
【０１０８】
本実施形態に係るＣＱＩレポートの設定情報は、「ＣＳＩ測定サブフレームセット」、「ＣＳＩサブフレームセット選択」および「ＣＱＩモード選択」の３つのパラメータを含む。該「ＣＳＩ測定サブフレームセット」は、第１の実施形態にかかる「ＣＳＩ測定サブフレームセット」と同様に、同一のＣＱＩテーブルを用いてＣＳＩ測定を行うサブフレーム群を示す情報である。例えば、「ＣＳＩ測定サブフレームセット」が(1, 0, 1, 0, 1, 0, 1, 0, 1, 0)と設定された場合、「ＣＳＩ測定サブフレームセット」は、「０」に一致するサブフレーム＃１、＃３、＃５、＃７、＃９からなる「第１のＣＳＩサブフレームセット」と、「１」に一致するサブフレーム＃０、＃２、＃４、＃６、＃８からなる「第２のＣＳＩサブフレームセット」を示す。
【０１０９】
「ＣＳＩサブフレームセット選択」は、「ＣＱＩモード選択」が選択したＣＱＩテーブルの適用するサブフレームを示す設定情報である。上位層処理部１０２は、「ＣＳＩサブフレームセット選択」に、「全サブフレーム」、前記「第１のＣＳＩサブフレームセット
」、または前記「第２のＣＳＩサブフレームセット」を設定する。「ＣＱＩモード選択」は、図２から図３のＣＱＩテーブルのうち、いずれを用いるかを示す設定情報である。例えば、「ＣＳＩサブフレームセット選択」で設定された「第１のサブフレームセット」（＃０、＃２、＃４、＃６、＃８）において、２５６ＱＡＭモードＣＱＩテーブル（図３）を用いてＣＱＩレポートを行う場合、基地局装置１０の上位層処理部１０２は、「ＣＱＩモード選択」に２５６ＱＡＭモードを設定する。この場合は、「ＣＳＩサブフレームセット選択」で設定されなかったサブフレーム（＃１、＃３、＃５、＃７、＃９）において、６４ＱＡＭモードＣＱＩテーブル（図２）を用いてＣＱＩレポートを行うことを示す。同様に、「ＣＳＩサブフレームセット選択」で設定されたサブフレームセットにおいて、１０２４ＱＡＭモードＣＱＩテーブル（図４）を用いてＣＱＩレポートを行う場合、基地局装置１０の上位層処理部１０２は、「ＣＱＩモード選択」に１０２４ＱＡＭモードを設定する。以上のように、「ＣＳＩ測定サブフレームセット」および「ＣＳＩサブフレームセット選択」を２５６ＱＡＭモード及び１０２４ＱＡＭモードで共有することで、設定情報を減らすことができる。
【０１１０】
「ＣＳＩ測定サブフレームセット」、「ＣＳＩサブフレームセット選択」および「ＣＱＩモード選択」は独立して設定変更をすることができる。「ＣＳＩ測定サブフレームセット」、「ＣＳＩサブフレームセット選択」および「ＣＱＩモード選択」の全てを設定変更する場合、上位層処理部２０２は、「ＣＳＩ測定サブフレームセット」、「ＣＳＩサブフレームセット選択」および「ＣＱＩモード選択」の全てを含むＣＱＩレポート設定情報を端末装置２０へ送信する。現設定に対してＣＳＩサブフレームセットのみを変更する場合、上位層処理部２０２は、「ＣＳＩサブフレームセット選択」のみを含むＣＱＩレポート設定情報を端末装置２０へ送信する。これにより、既に設定されているＣＳＩテーブルを、「ＣＳＩサブフレームセット選択」で新しく設定されたＣＳＩサブフレームセットに適用することが示される。
【０１１１】
現設定に対してＣＱＩテーブルのみを変更する場合、上位層処理部２０２は、「ＣＱＩモード選択」のみを含むＣＱＩレポート設定情報を端末装置２０へ送信する。これにより、既に設定されているＣＳＩサブフレームセットに対して、新しく設定されたＣＱＩテーブルを適用することが示される。なお、「ＣＳＩサブフレームセット選択」が設定されていない状況において、「ＣＱＩモード選択」のみを含むＣＱＩレポート設定情報が送信された場合は、新しく設定されたＣＱＩテーブルが全サブフレームに対して適用されることを示す。
【０１１２】
本実施形態における「ＣＳＩ測定サブフレームセット」、「ＣＳＩサブフレームセット選択」および「ＣＱＩモード選択」によれば、２５６ＱＡＭモードＣＱＩテーブルから１０２４ＱＡＭモードＣＱＩテーブルへ状態遷移を行う場合、「ＣＱＩモード選択」のみで行うことが可能となる。さらに、２５６ＱＡＭモードＣＱＩテーブルの設定と１０２４ＱＡＭモードＣＱＩテーブルの設定が重複するサブフレームが発生することを回避することができる。
【０１１３】
図１５は、本実施形態に係るＣＱＩインデックスの設定フロー例を示す図である。端末装置２０の上位層処理部２０２は、ＲＲＣメッセージで受信したＣＱＩレポート設定に、「ＣＳＩ測定サブフレームセット」が含まれるかを判断する（Ｓ４０１）。「ＣＳＩ測定サブフレームセット」が含まれる場合（Ｓ４０１のＹＥＳ）、上位層処理部２０２は、該「ＣＳＩ測定サブフレームセット」で示されたビットマップを書き換える（Ｓ４０２）。Ｓ４０１のＮＯの場合、上位層処理部２０２は、既に設定されている「ＣＳＩ測定サブフレームセット」で示されたビットマップを保持する。次に、上位層処理部２０２は、ＲＲＣメッセージで受信したＣＱＩレポート設定に、「ＣＳＩサブフレームセット選択」が含まれるかを判断する（Ｓ４０３）。「ＣＳＩサブフレームセット選択」が含まれる場合（
Ｓ４０３のＹＥＳ）、上位層処理部２０２は、該「ＣＳＩサブフレームセット選択」で示されたＣＳＩサブフレームセットに書き換える（Ｓ４０４）。Ｓ４０３のＮＯの場合、上位層処理部２０２は、既に設定されているＣＳＩサブフレームセットを保持する。さらに、上位層処理部２０２は、ＲＲＣメッセージで受信したＣＱＩレポート設定に、「ＣＱＩモード選択」が含まれるかを判断する（Ｓ４０５）。「ＣＱＩモード選択」が含まれる場合（Ｓ４０５のＹＥＳ）、上位層処理部２０２は、該「ＣＱＩモード選択」で示されたＣＳＩテーブルに書き換える（Ｓ４０６）。Ｓ４０５のＮＯの場合、上位層処理部２０２は、既に設定されているＣＳＩサブフレームセットを保持する。
【０１１４】
上位層処理部２０２は、Ｓ４０１からＳ４０６後に格納されている「ＣＳＩサブフレームセット選択」及び「ＣＱＩテーブル選択」を適用する（Ｓ４０７）。そして、上位層処理部２０２は、各サブフレームのＣＱＩテーブルの設定に従って、ＣＱＩインデックスを算出する（Ｓ４０８）。上位層処理部２０２は、前記ＣＱＩインデックスの算出結果を、ＣＳＩレポートによって基地局装置１０に送信する。以上よれば、「ＣＳＩ測定サブフレームセット」、「ＣＳＩサブフレームセット選択」および「ＣＱＩモード選択」を独立して修正できる。このため、修正が必要なパラメータのみを送信することができるので、制御情報を減らすことができる。
【０１１５】
図１６は、本実施形態に係るＣＱＩテーブルの状態遷移例を示す図である。図１６において、６４ＱＡモードＣＱＩ（Ｓ１０−２）は、６４ＱＡＭモードＣＱＩテーブルのみを用いてＣＱＩレポートする状態（またはリファレンステーブルを適用してＣＱＩレポートする状態）を示す。２５６ＱＡＭモードＣＱＩ（Ｓ２０−２）は、６４ＱＡＭモードＣＱＩテーブル／２５６ＱＡＭモードＣＱＩテーブルを用いてＣＱＩレポートする状態を示す。１０２４ＱＡＭモードＣＱＩ（Ｓ３０−２）は、６４ＱＡＭモードＣＱＩテーブル／１０２４ＱＡＭモードＣＱＩテーブルを用いてＣＱＩレポートする状態を示す。本実施形態に係る通信システムは、６４ＱＡＭモードＣＱＩと２５６ＱＡＭモードＣＱＩ間の状態遷移（Ｔ１２−２、Ｔ２１−２）、６４ＱＡＭモードＣＱＩと１０２４ＱＡＭモードＣＱＩ間の状態遷移（Ｔ１３−２、Ｔ３１−２）に加え、２５６ＱＡＭモードＣＱＩと１０２４ＱＡＭモードＣＱＩ間の直接的な状態遷移（Ｔ２３−２、Ｔ３２−２）を許容する。
【０１１６】
状態遷移Ｔ１２−２は、「ＣＳＩサブフレームセット選択」／２５６ＱＡＭがセット（set）された「ＣＱＩモード選択」によって行われる。状態遷移Ｔ２１−２は、「ＣＱＩ
テーブル選択」をリリース（release）することによって行われる。状態遷移Ｔ１３−２
は、「ＣＳＩサブフレームセット選択」／１０２４ＱＡＭがセットされた「ＣＱＩモード選択」によって行われる。状態遷移Ｔ３１−２は、「ＣＱＩテーブル選択」をリリースするによって行われる。状態遷移Ｔ２３−２は、１０２４ＱＡＭがセットされた「ＣＱＩモード選択」によって行われる。状態遷移Ｔ３２−２は、２５６ＱＡＭがセットされた「ＣＱＩモード選択」によって行われる。これにより、「ＣＱＩモード選択」のみの設定情報を送信することで、２５６ＱＡＭモードＣＱＩと１０２４ＱＡＭモードＣＱＩ間の状態遷移を行うことができるため、設定情報を減らすことができる。さらに、２５６ＱＡＭモードＣＱＩと１０２４ＱＡＭモードＣＱＩ間の状態遷移を直接的に行うことができるため、状態遷移のための工程を減らすことができ、処理時間を短縮することができる。
【０１１７】
次に、本実施形態に係るＭＣＳインデックスの設定について説明する。基地局装置１０及び端末装置２０は、「ＣＱＩモード選択」の設定に基づいて、ＭＣＳインデックスを選択する。図１７は、本実施形態に係るＭＣＳインデックスの解釈フロー例を示す図である。基地局装置１０及び端末装置２０は、図２〜図４のＣＱＩテーブル及び図５〜図７のＭＣＳテーブルを保持する。Ｐ−ＲＮＴＩ、ＲＡ−ＲＮＴＩ、ＳＩ−ＲＮＴＩを除くＲＮＴＩでスクランブルされるＣＲＣをもつＤＣＩが用いられる場合、制御部１０４は図１０の手順によって、ＰＤＳＣＨの変調方式を決定する。制御部１０４は、前記ＣＳＩレポート
に含まれるＣＱＩインデックスを取得する（Ｓ５０１）。制御部１０４は、ＰＤＳＣＨのトランスポートブロックサイズおよびＰＤＳＣＨ送信に用いられる帯域幅（リソースブロック数）に加え、該ＣＱＩインデックスの内容を考慮して、ＰＤＳＣＨに用いる変調オーダーを決定する。
【０１１８】
上位層処理部１０２が、「ＣＱＩモード選択」によって、１０２４ＱＡＭモードのＣＱＩテーブルを設定している場合、所定のＤＣＩフォーマットをもったＰＤＣＣＨ／ＥＰＤＣＣＨによってＰＤＳＣＨを割り当てるとき（Ｓ５０２のＹＥＳ）、制御部１０４は、該ＰＤＳＣＨに用いる変調オーダーを決定するために、１０２４ＱＡＭモードＣＱＩテーブルおよびＭＣＳインデックスを用いる。制御部１０４は、１０２４ＱＡＭモードＣＱＩテーブルを用いて設定した該ＭＣＳインデックスをＤＣＩに含める（Ｓ５０３）。制御部１０４は、さらに該ＭＣＳインデックスで示される変調オーダーを送信部１０６に入力する。送信部１０６は、該変調オーダーに基づいて変調したＰＤＳＣＨを送信する（Ｓ５０４）。
【０１１９】
ステップＳ５０２でＮＯの場合、上位層処理部１０２が２５６ＱＡＭモードＣＱＩテーブルの選択を設定しているか、を判断する（Ｓ５０５）。上位層処理部１０２が「ＣＱＩモード選択」によって２５６ＱＡＭモードＣＱＩテーブルを設定している場合、所定のＤＣＩフォーマットをもったＰＤＣＣＨ／ＥＰＤＣＣＨによってＰＤＳＣＨを割り当てるとき（Ｓ５０５のＹＥＳ）、制御部１０４は、該ＰＤＳＣＨに用いる変調オーダーを決定するために、２５６ＱＡＭモードＣＱＩテーブルおよびＭＣＳインデックスを用いる。制御部１０４は、２５６ＱＡＭモードＣＱＩテーブルを用いて設定した該ＭＣＳインデックスをＤＣＩに含める（Ｓ５０６）。制御部１０４は、さらに該ＭＣＳインデックスで示される変調オーダーを送信部１０６に入力する。送信部１０６は、該変調オーダーに基づいて変調したＰＤＳＣＨを送信する（Ｓ５０７）。
【０１２０】
ステップＳ５０５でＮＯの場合（すなわち、Ｓ５０２およびＳ５０５の条件を充たさない場合）、制御部１０４は、該ＰＤＳＣＨに用いる変調オーダーを決定するために、６４ＱＡＭモードＣＱＩテーブルおよびＭＣＳインデックスを用いる。制御部１０４は、６４ＱＡＭモードＣＱＩテーブルを用いて設定した該ＭＣＳインデックスをＤＣＩに含める（Ｓ５０８）。制御部１０４は、さらに該ＭＣＳインデックスで示される変調オーダーを送信部１０６に入力する。送信部１０６は、該変調オーダーに基づいて変調したＰＤＳＣＨを送信する（Ｓ５０９）。ここで、Ｓ５０２およびＳ５０５における所定のＤＣＩフォーマットは、Ｃ−ＲＮＴＩによってスクランブルされたＣＲＣをもつＤＣＩフォーマット１／１Ｂ／１Ｄ／２／２Ａ／２Ｂ／２Ｃ／２Ｄである。これらのＤＣＩフォーマットは、ＣＳＳ（セル共通サーチスペース）に加え、ＵＳＳ（ユーザ固有のサーチスペース）用いてＰＤＣＣＨ送信できるフォーマットである。以上のように、ＰＤＳＣＨのために選択できる変調方式の異なる３種類のＭＣＳテーブル／ＣＳＩテーブルを用いることで、伝搬路状況やアプリケーションに応じて、ＰＤＳＣＨのために選択できるＭＣＳの範囲を柔軟に変更することができる。
【０１２１】
なお、端末装置２０の制御部２０４は、図１７のフロー（Ｓ５０２、Ｓ５０３、Ｓ５０５、Ｓ５０６、Ｓ５０８）に沿ってＰＤＣＣＨのＤＣＩに含まれるＭＣＳインデックスを解釈し、ＰＤＳＣＨを復調するための変調方式を決定する。「ＣＱＩモード選択」によって、１０２４ＱＡＭモードのＣＱＩテーブルを設定している場合、所定のＤＣＩフォーマットをもったＰＤＣＣＨ／ＥＰＤＣＣＨによってＰＤＳＣＨを割り当てるとき（Ｓ５０２のＹＥＳ）、制御部２０４は、該ＰＤＳＣＨに用いる変調オーダーを決定するために、１０２４ＱＡＭモードＣＱＩテーブルおよびＭＣＳインデックスを用いる（Ｓ５０３）。受信部２１２は、該ＭＣＳインデックスによって解釈された変調オーダーに基づいてＰＤＳＣＨを復調する。
【０１２２】
ステップＳ５０２でＮＯの場合、上位層処理部２０２が２５６ＱＡＭモードＣＱＩテーブルの選択を設定しているか、を判断する（Ｓ５０５）。上位層処理部２０２が「ＣＱＩモード選択」によって２５６ＱＡＭモードＣＱＩテーブルを設定している場合、所定のＤＣＩフォーマットをもったＰＤＣＣＨ／ＥＰＤＣＣＨによってＰＤＳＣＨを割り当てるとき（Ｓ５０５のＹＥＳ）、制御部２０４は、該ＰＤＳＣＨに用いる変調オーダーを決定するために、２５６ＱＡＭモードＣＱＩテーブルおよびＭＣＳインデックスを用いる（Ｓ５０６）。受信部２１２は、該ＭＣＳインデックスによって解釈された変調オーダーに基づいてＰＤＳＣＨを復調する。ステップＳ５０５でＮＯの場合（すなわち、Ｓ５０２およびＳ５０５の条件を充たさない場合）、制御部２０４は、該ＰＤＳＣＨに用いる変調オーダーを決定するために、６４ＱＡＭモードＣＱＩテーブルおよびＭＣＳインデックスを用いる（Ｓ５０８）。受信部２１２は、該ＭＣＳインデックスによって解釈された変調オーダーに基づいてＰＤＳＣＨを復調する。
（第３の実施形態）
本実施形態の通信システムでは、使用するＣＱＩテーブルの選択が、６４ＱＡＭモード、２５６ＱＡＭモード、１０２４ＱＡＭモードを、段階的に変更する場合の例である。本実施形態に係る通信システム１（図１）は、基地局装置１０（図９）及び端末装置２０（図１２）で構成される。本実施形態に係る通信システム１（基地局装置１０及び端末装置２０）は、図２から図４のＣＱＩテーブル及び図５から図７のＭＣＳテーブルを共有する。以下、第１の実施形態及び第２の実施形態との相違点／追加点を主に説明する。
【０１２３】
図１８は、本実施形態に係るＣＱＩテーブルの状態遷移例を示す図である。図１８において、６４ＱＡモードＣＱＩ（Ｓ１０−３）は、６４ＱＡＭモードＣＱＩテーブルのみを用いてＣＱＩレポートする状態（またはリファレンステーブルを適用してＣＱＩレポートする状態）を示す。２５６ＱＡＭモードＣＱＩ（Ｓ２０−３）は、６４ＱＡＭモードＣＱＩテーブル／２５６ＱＡＭモードＣＱＩテーブルを用いてＣＱＩレポートする状態を示す。１０２４ＱＡＭモードＣＱＩ（Ｓ３０−３）は、６４ＱＡＭモードＣＱＩテーブル／１０２４ＱＡＭモードＣＱＩテーブルを用いてＣＱＩレポートする状態を示す。本実施形態に係る通信システムは、６４ＱＡＭモードＣＱＩと２５６ＱＡＭモードＣＱＩ間の状態遷移（Ｔ１２−２、Ｔ２１−２）に加え、２５６ＱＡＭモードＣＱＩから１０２４ＱＡＭモードＣＱＩへの状態遷移（Ｔ２３−２）のみを許容する（６４ＱＡＭモードＣＱＩから１０２４ＱＡＭモードＣＱＩへの直接的な状態遷移は禁止される）。１０２４ＱＡＭモードＣＱＩからダウングレードする場合（フォールバックする場合）、１０２４ＱＡＭモードから６４ＱＡＭモードへの状態遷移のみを許容するようにしてもよい。
【０１２４】
本実施形態に係るＣＱＩインデックスの設定フローは、図１５のフローを適用できる。状態遷移Ｔ１２−３は、「ＣＳＩサブフレームセット選択」／２５６ＱＡＭがセット（set）された「ＣＱＩモード選択」によって行われる。状態遷移Ｔ２１−３は、「ＣＱＩテ
ーブル選択」をリリース（release）することによって行われる。状態遷移Ｔ３１−３は
、「ＣＱＩテーブル選択」をリリースするによって行われる。状態遷移Ｔ２３−３は、１０２４ＱＡＭがセットされた「ＣＱＩモード選択」によって行われる。なお、通信システム１は、図１７のＭＣＳインデックスの設定フローを適用することができる。
【０１２５】
基地局装置１０は、６４ＱＡモードＣＱＩ（Ｓ１０−３）の状態において、最大「６」（６４ＱＡＭ）までの変調オーダーで、ＭＣＳインデックスを設定（選択）できると把握できる。この場合、基地局装置１０は、最大「６」（６４ＱＡＭ）までの変調オーダーでＰＤＳＣＨを送信したいとき、１０２４ＱＡＭの変調オーダーまで通信可能な伝搬路状態かを把握することができない。このため、２５６ＱＡＭの変調オーダーまでしか通信できない伝搬路状態において、１０２４ＱＡＭモードＣＱＩ選択すると、選択できるＭＣＳインデックスの範囲が実質的に狭くなる。
本実施形態では、６４ＱＡＭモード、２５６ＱＡＭモード、および１０２４ＱＡＭモードを段階的に変更するため、選択できるＭＣＳインデックスの範囲が実質的に狭くなるというリスクを回避することができる。さらに、「ＣＱＩモード選択」のみの設定情報を送信することで、２５６ＱＡＭモードＣＱＩと１０２４ＱＡＭモードＣＱＩ間の状態遷移を行うことができるため、設定情報を減らすことができる。
（第４の実施形態）
本実施形態の通信システムでは、３つのＣＱＩテーブル（６４ＱＡＭモード、２５６ＱＡＭモード、１０２４ＱＡＭモードを、）から任意の２つのＣＱＩテーブルを選択し、ＰＤＳＣＨのＭＣＳを設定する場合の例である。本実施形態に係る通信システム１（図１）は、基地局装置１０（図９）及び端末装置２０（図１２）で構成される。本実施形態に係る通信システム１（基地局装置１０及び端末装置２０）は、図２から図４のＣＱＩテーブル及び図５から図７のＭＣＳテーブルを共有する。以下、第１の実施形態、第２の実施形態及び第３の実施形態との相違点／追加点を主に説明する。
【０１２６】
本実施形態に係るＣＱＩレポートの設定情報は、「ＣＳＩ測定サブフレームセット」、「ＣＳＩサブフレームセット選択」および「ＣＱＩテーブル組合せ」の３つのパラメータを含む。該「ＣＳＩ測定サブフレームセット」は、第１の実施形態にかかる「ＣＳＩ測定サブフレームセット」と同様に、同一のＣＱＩテーブルを用いてＣＳＩ測定を行うサブフレーム群を示す情報である。例えば、「ＣＳＩ測定サブフレームセット」が(1, 0, 1, 0,
1, 0, 1, 0, 1, 0)と設定された場合、「ＣＳＩ測定サブフレームセット」は、「０」に一致するサブフレーム＃１、＃３、＃５、＃７、＃９からなる「第１のＣＳＩサブフレームセット」と、「１」に一致するサブフレーム＃０、＃２、＃４、＃６、＃８からなる「第２のＣＳＩサブフレームセット」を示す。
【０１２７】
「ＣＳＩサブフレームセット選択」は、「ＣＱＩテーブル組合せ」が選択したＣＱＩテーブルを適用するサブフレームを示す設定情報である。上位層処理部１０２は、「ＣＳＩサブフレームセット選択」に、「全サブフレーム」、前記「第１のＣＳＩサブフレームセット」、または前記「第２のＣＳＩサブフレームセット」を設定する。「ＣＱＩモード選択」は、図１から図３のＣＱＩテーブルのうち、いずれの組合せを用いるかを示す設定情報である。例えば、基地局装置１０の上位層処理部１０２が「ＣＳＩサブフレームセット選択」で「第１のサブフレームセット」（＃０、＃２、＃４、＃６、＃８）を設定し、さらに、「ＣＱＩテーブル組合せ」を［２５６ＱＡＭモードＣＱＩテーブル，１０２４ＱＡＭモードＣＱＩテーブル］の組合せを設定する。この場合、端末装置２０の上位層処理部２０２は、「第１のサブフレームセット」で設定されたサブフレームに対して、右側に格納された１０２４ＱＡＭモードＣＱＩテーブル（図４）を適用してＣＱＩレポートを行うと解釈する。一方、端末装置２０の上位層処理部２０２は、「ＣＳＩサブフレームセット選択」で設定されなかったサブフレーム（＃１、＃３、＃５、＃７、＃９）において、右側に格納された１０２４ＱＡＭモードＣＱＩテーブル（図４）を適用してＣＱＩレポートを行うと解釈する。
【０１２８】
基地局装置１０の上位層処理部１０２が「ＣＳＩサブフレームセット選択」で「全サブフレーム」を設定し、さらに、「ＣＱＩテーブル組合せ」を［２５６ＱＡＭモードＣＱＩテーブル，１０２４ＱＡＭモードＣＱＩテーブル］の組合せを設定する。この場合、端末装置２０の上位層処理部２０２は、「全サブフレーム」に対して、右側に格納された１０２４ＱＡＭモードＣＱＩテーブル（図４）を適用してＣＱＩレポートを行うと解釈する。なお、本実施形態の通信システム１は、「ＣＱＩテーブル組合せ」において、同一モードのＣＱＩテーブルを格納することを許容する。「ＣＱＩテーブル組合せ」において、同一モードのＣＱＩテーブルが格納された場合、全サブフレームに対して、そのＣＱＩテーブルを適用することを示すようにしてもよい。
【０１２９】
以上のように、「ＣＳＩサブフレームセット選択」で示されたサブフレームに対して、任意に選択した２つのＣＱＩテーブルの組合せを適用する。このため、「ＣＳＩサブフレームセット選択」で示されるビットマップによって、３つ以上のＣＱＩテーブルの切替を行うことが可能となる。
【０１３０】
次に、本実施形態に係るＭＣＳインデックスの設定について説明する。基地局装置１０及び端末装置２０は、「ＣＱＩテーブル組合せ」の設定に基づいて、ＭＣＳインデックスを選択する。図１９は、本実施形態に係るＭＣＳインデックスの解釈フロー例を示す図である。基地局装置１０及び端末装置２０は、図２〜図４のＣＱＩテーブル及び図５〜図７のＭＣＳテーブルを保持する。Ｐ−ＲＮＴＩ、ＲＡ−ＲＮＴＩ、ＳＩ−ＲＮＴＩを除くＲＮＴＩでスクランブルされるＣＲＣをもつＤＣＩが用いられる場合、制御部１０４は図１９の手順によって、ＰＤＳＣＨの変調方式を決定する。制御部１０４は、前記ＣＳＩレポートに含まれるＣＱＩインデックスを取得する（Ｓ６０１）。制御部１０４は、ＰＤＳＣＨのトランスポートブロックサイズおよびＰＤＳＣＨ送信に用いられる帯域幅（リソースブロック数）に加え、該ＣＱＩインデックスの内容を考慮して、ＰＤＳＣＨに用いる変調オーダーを決定する。
【０１３１】
上位層処理部１０２が「ＣＱＩテーブル組合せ」に設定されたＣＱＩテーブルに、１０２４ＱＡＭモードのＣＱＩテーブルが含まれる場合（選択される最大の変調オーダーが１０２４ＱＡＭモードのＣＱＩテーブルで決定される場合）、所定のＤＣＩフォーマットをもったＰＤＣＣＨ／ＥＰＤＣＣＨによってＰＤＳＣＨを割り当てるとき（Ｓ６０２のＹＥＳ）、制御部１０４は、該ＰＤＳＣＨに用いる変調オーダーを決定するために、１０２４ＱＡＭモードＣＱＩテーブルおよびＭＣＳインデックスを用いる。制御部１０４は、１０２４ＱＡＭモードＣＱＩテーブルを用いて設定した該ＭＣＳインデックスをＤＣＩに含める（Ｓ６０３）。制御部１０４は、さらに該ＭＣＳインデックスで示される変調オーダーを送信部１０６に入力する。送信部１０６は、該変調オーダーに基づいて変調したＰＤＳＣＨを送信する（Ｓ６０４）。
【０１３２】
ステップＳ６０２でＮＯの場合、「ＣＱＩテーブル組合せ」に設定されたＣＱＩテーブルに、２５６ＱＡＭモードのＣＱＩテーブルが含まれるか、判断される（Ｓ６０５）。上位層処理部１０２が「ＣＱＩテーブル組合せ」に設定されたＣＱＩテーブルに、２５６ＱＡＭモードのＣＱＩテーブルが含まれる場合（選択される最大の変調オーダーが２５６ＱＡＭモードのＣＱＩテーブルで決定される場合）、所定のＤＣＩフォーマットをもったＰＤＣＣＨ／ＥＰＤＣＣＨによってＰＤＳＣＨを割り当てるとき（６０５のＹＥＳ）、制御部１０４は、該ＰＤＳＣＨに用いる変調オーダーを決定するために、２５６ＱＡＭモードＣＱＩテーブルおよびＭＣＳインデックスを用いる。制御部１０４は、２５６ＱＡＭモードＣＱＩテーブルを用いて設定した該ＭＣＳインデックスをＤＣＩに含める（Ｓ６０６）。制御部１０４は、さらに該ＭＣＳインデックスで示される変調オーダーを送信部１０６に入力する。送信部１０６は、該変調オーダーに基づいて変調したＰＤＳＣＨを送信する（Ｓ６０７）。
【０１３３】
ステップＳ６０５でＮＯの場合（すなわち、Ｓ６０２およびＳ６０５の条件を充たさない場合）、制御部１０４は、該ＰＤＳＣＨに用いる変調オーダーを決定するために、６４ＱＡＭモードＣＱＩテーブルおよびＭＣＳインデックスを用いる。制御部１０４は、６４ＱＡＭモードＣＱＩテーブルを用いて設定した該ＭＣＳインデックスをＤＣＩに含める（Ｓ６０８）。制御部１０４は、さらに該ＭＣＳインデックスで示される変調オーダーを送信部１０６に入力する。送信部１０６は、該変調オーダーに基づいて変調したＰＤＳＣＨを送信する（Ｓ６０９）。ここで、Ｓ６０２およびＳ６０５における所定のＤＣＩフォーマットは、Ｃ−ＲＮＴＩによってスクランブルされたＣＲＣをもつＤＣＩフォーマット１／１Ｂ／１Ｄ／２／２Ａ／２Ｂ／２Ｃ／２Ｄである。これらのＤＣＩフォーマットは、Ｃ
ＳＳ（セル共通サーチスペース）に加え、ＵＳＳ（ユーザ固有のサーチスペース）用いてＰＤＣＣＨ送信できるフォーマットである。以上のように、ＰＤＳＣＨのために選択できる変調方式の異なる３種類のＭＣＳテーブル／ＣＳＩテーブルを用いることで、伝搬路状況やアプリケーションに応じて、ＰＤＳＣＨのために選択できるＭＣＳの範囲を柔軟に変更することができる。
【０１３４】
なお、端末装置２０の制御部２０４は、図１９のフロー（Ｓ６０２、Ｓ６０３、Ｓ６０５、Ｓ６０６、Ｓ６０８）に沿ってＰＤＣＣＨのＤＣＩに含まれるＭＣＳインデックスを解釈し、ＰＤＳＣＨを復調するための変調方式を決定する。「ＣＱＩテーブル組合せ」に設定されたＣＱＩテーブルに、１０２４ＱＡＭモードのＣＱＩテーブルが含まれる場合、所定のＤＣＩフォーマットをもったＰＤＣＣＨ／ＥＰＤＣＣＨによってＰＤＳＣＨを割り当てるとき（Ｓ６０２のＹＥＳ）、制御部２０４は、該ＰＤＳＣＨに用いる変調オーダーを決定するために、１０２４ＱＡＭモードＣＱＩテーブルおよびＭＣＳインデックスを用いる（Ｓ６０３）。受信部２１２は、該ＭＣＳインデックスによって解釈された変調オーダーに基づいてＰＤＳＣＨを復調する。
【０１３５】
ステップＳ６０２でＮＯの場合、「ＣＱＩテーブル組合せ」に設定されたＣＱＩテーブルに、２５６ＱＡＭモードのＣＱＩテーブルが含まれるか、判断される（Ｓ６０５）。「ＣＱＩテーブル組合せ」に設定されたＣＱＩテーブルに、２５６ＱＡＭモードのＣＱＩテーブルが含まれる場合、所定のＤＣＩフォーマットをもったＰＤＣＣＨ／ＥＰＤＣＣＨによってＰＤＳＣＨを割り当てるとき（６０５のＹＥＳ）、制御部２０４は、該ＰＤＳＣＨに用いる変調オーダーを決定するために、２５６ＱＡＭモードＣＱＩテーブルおよびＭＣＳインデックスを用いる（Ｓ６０６）。受信部２１２は、該ＭＣＳインデックスによって解釈された変調オーダーに基づいてＰＤＳＣＨを復調する。
【０１３６】
ステップＳ６０５でＮＯの場合（すなわち、Ｓ６０２およびＳ６０５の条件を充たさない場合）、制御部２０４は、該ＰＤＳＣＨに用いる変調オーダーを決定するために、６４ＱＡＭモードＣＱＩテーブルおよびＭＣＳインデックスを用いる（Ｓ６０６）。受信部２１２は、該ＭＣＳインデックスによって解釈された変調オーダーに基づいてＰＤＳＣＨを復調する。ここで、Ｓ６０２およびＳ６０５における所定のＤＣＩフォーマットは、Ｃ−ＲＮＴＩによってスクランブルされたＣＲＣをもつＤＣＩフォーマット１／１Ｂ／１Ｄ／２／２Ａ／２Ｂ／２Ｃ／２Ｄである。これらのＤＣＩフォーマットは、ＣＳＳ（セル共通サーチスペース）に加え、ＵＳＳ（ユーザ固有のサーチスペース）用いてＰＤＣＣＨ送信できるフォーマットである。以上のように、ＰＤＳＣＨのために選択できる変調方式の異なる３種類のＭＣＳテーブル／ＣＳＩテーブルを用いることで、伝搬路状況やアプリケーションに応じて、ＰＤＳＣＨのために選択できるＭＣＳの範囲を柔軟に変更することができる。
【０１３７】
なお、第１の実施形態から第４の実施形態において、「ＣＱＩテーブル選択」、「ＣＱＩモード選択」および「ＣＱＩテーブル組合せ」は、「ＣＱＩテーブル選択に関する情報」と総称される。「ＣＳＩ測定サブフレームセット」および「ＣＳＩサブフレームセット選択」は、「ＣＳＩサブフレームセットに関する情報」と総称される。「ＣＱＩテーブル選択に関する情報」および「ＣＳＩサブフレームセットに関する情報」は、「ＣＱＩテーブルを選択するための情報」と称される。
【０１３８】
なお、本発明は、以下の態様を採ることも可能である。
【０１３９】
（１）本発明の一態様は、端末装置と通信する基地局装置であって、ＣＳＩレポート設定情報を送信する送信部と、ＣＳＩレポートを受信する受信部と、前記ＣＳＩレポート設定情報に基づいて、前記ＣＳＩレポートを解釈する制御部と、を備え、前記送信部は、前
記ＣＳＩレポートの解釈に適用するＣＱＩテーブルを、第１のＣＱＩテーブルから第２のＣＱＩテーブルに変更する場合、第２のＣＱＩテーブルの適用を示すＣＱＩテーブル選択に関する情報および前記ＣＱＩテーブル選択に関する情報によって設定されたＣＱＩテーブルを用いるサブフレームを示すＣＳＩサブフレームセットを送信し、前記送信部は、前記ＣＳＩレポートの解釈に適用するＣＱＩテーブルを、第２のＣＱＩテーブルから第３のＣＱＩテーブルに変更する場合、第３のＣＱＩテーブルの適用を示すＣＱＩテーブル選択に関する情報を送信し、前記第１のＣＱＩテーブルは、少なくとも第１の変調方式を含み、前記第１の変調方式は、ＱＰＳＫ、１６ＱＡＭ、および６４ＱＡＭを含み、前記第２のＣＱＩテーブルは、少なくとも第２の変調方式を含み、前記第２の変調方式は、ＱＰＳＫ、１６ＱＡＭ、６４ＱＡＭ、および２５６ＱＡＭを含み、前記第３のＣＱＩテーブルは、少なくとも第３の変調方式を含み、前記第３の変調方式に関する情報は、ＱＰＳＫ、１６ＱＡＭ、６４ＱＡＭ、２５６ＱＡＭ、１０２４ＱＡＭを含む。
【０１４０】
（２）また、本発明の一態様は、前記制御部は、前記ＣＳＩレポートの解釈に用いたＣＱＩテーブルを適用して、ＰＤＳＣＨの変調に用いる変調方式を決定する。
【０１４１】
（３）また、本発明の一態様は、前記送信部が、ＣＱＩテーブルを選択するための情報として、前記ＣＱＩテーブル選択に関する情報のみを含む前記ＣＳＩレポート設定情報を送信した場合、前記制御部は、該ＣＱＩテーブル選択に関する情報および前記ＣＳＩレポート設定情報より前に送信されたＣＳＩレポート設定情報によって示されたＣＳＩサブフレームセットを用いて、前記ＣＳＩレポートを解釈する。
【０１４２】
（４）また、本発明の一態様は、前記送信部が、ＣＱＩテーブルを選択するための情報として、前記ＣＱＩテーブル選択に関する情報のみを含む前記ＣＳＩレポート設定情報を送信した場合、前記制御部は、該ＣＱＩテーブル選択に関する情報を全サブフレームに対して適用して、前記ＣＳＩレポートを解釈する。
【０１４３】
（５）また、本発明の一態様は、前記送信部は、前記ＣＳＩレポートの解釈に適用するＣＱＩテーブルに用いるサブフレームのみを変更する場合、前記ＣＳＩサブフレームセットを送信し、
前記制御部は、該ＣＳＩサブフレームセットおよび前記ＣＳＩサブフレームセットより前に送信されたＣＳＩレポート設定情報によって示されたＣＱＩテーブル選択に関する情報を用いて、前記ＣＳＩレポートを解釈する。
【０１４４】
（６）また、本発明の一態様は、前記ＣＱＩテーブル選択に関する情報は、第１のＣＱＩテーブル、第２のＣＱＩテーブルおよび第３のＣＱＩテーブルから選択された２つのＣＱＩテーブルを示し、  前記制御部は、前記ＣＳＩサブフレームセットによって示されたサブフレームに対して、前記選択された２つのＣＱＩテーブルのうちの一方のＣＱＩテーブルを適用してＣＳＩレポートを解釈し、前記ＣＳＩサブフレームセットによって示されなかったサブフレームに対して、前記選択された２つのＣＱＩテーブルのうちの他方のＣＱＩテーブルを適用してＣＳＩレポートを解釈する。
【０１４５】
（７）また、本発明の一態様は、前記制御部は、前記ＣＳＩサブフレームセットによって示されたサブフレームにおいて前記ＣＳＩレポートの解釈に用いたＣＱＩテーブルを適用して、ＰＤＳＣＨの変調に用いる変調方式を決定する。
【０１４６】
（８）本発明の一態様は、端末装置と通信する基地局装置の通信方法であって、ＣＳＩレポート設定情報を送信する送信ステップと、ＣＳＩレポートを受信する受信ステップと、前記ＣＳＩレポート設定情報に基づいて、ＣＳＩレポートを解釈する制御ステップと、を有し、前記ＣＳＩレポートの解釈に適用するＣＱＩテーブルを、第１のＣＱＩテーブル
から第２のＣＱＩテーブルに変更する場合、第２のＣＱＩテーブルの適用を示すＣＱＩテーブル選択に関する情報および前記ＣＱＩテーブル選択に関する情報によって選択されたＣＱＩテーブルを用いるサブフレームを示すＣＳＩサブフレームセットを送信し、前記ＣＳＩレポートの解釈に適用するＣＱＩテーブルを、第２のＣＱＩテーブルから第３のＣＱＩテーブルに変更する場合、第３のＣＱＩテーブルの適用を示すＣＱＩテーブル選択に関する情報を送信し、前記第１のＣＱＩテーブルは、少なくとも第１の変調方式を含み、前記第１の変調方式は、ＱＰＳＫ、１６ＱＡＭ、および６４ＱＡＭを含み、前記第２のＣＱＩテーブルは、少なくとも第２の変調方式を含み、前記第２の変調方式は、ＱＰＳＫ、１６ＱＡＭ、６４ＱＡＭ、および２５６ＱＡＭを含み、前記第３のＣＱＩテーブルは、少なくとも第３の変調方式を含み、前記第３の変調方式に関する情報は、ＱＰＳＫ、１６ＱＡＭ、６４ＱＡＭ、２５６ＱＡＭ、１０２４ＱＡＭを含む。
【０１４７】
（９）本発明の一態様は、基地局装置と通信する端末装置であって、ＣＳＩレポート設定情報を受信する受信部と、ＣＳＩレポートを送信する送信部と、前記ＣＳＩレポート設定情報に基づいて、ＣＳＩレポートを作成する制御部と、を備え、前記ＣＳＩレポート設定情報が前記ＣＳＩレポートの生成に適用するＣＱＩテーブルを示すＣＱＩテーブル選択に関する情報および該ＣＱＩテーブルを適用するサブフレームを示すＣＳＩサブフレームセットを含む場合、前記制御部は、該ＣＱＩテーブル選択に関する情報および該ＣＳＩサブフレームセットを用いて、ＣＳＩレポートを作成し、前記ＣＳＩレポート設定情報が、ＣＱＩテーブルを選択するための情報として、前記ＣＱＩテーブル選択に関する情報のみを含む場合、前記制御部は、該ＣＱＩテーブル選択に関する情報および前記ＣＳＩレポート設定情報より前に受信したＣＳＩレポート設定情報によって示されたＣＳＩサブフレームセットを用いて、ＣＳＩレポートを作成し、前記ＣＱＩテーブル選択に関する情報は、前記ＣＳＩレポート設定情報に第１のＣＱＩテーブル、第２のＣＱＩテーブルおよび第３のＣＱＩテーブルのいずれを適用してＣＳＩレポートを作成するか、を示し、前記第１のＣＱＩテーブルは、少なくとも第１の変調方式を含み、前記第１の変調方式は、ＱＰＳＫ、１６ＱＡＭ、および６４ＱＡＭを含み、前記第２のＣＱＩテーブルは、少なくとも第２の変調方式を含み、前記第２の変調方式は、ＱＰＳＫ、１６ＱＡＭ、６４ＱＡＭ、および２５６ＱＡＭを含み、前記第３のＣＱＩテーブルは、少なくとも第３の変調方式を含み、前記第３の変調方式に関する情報は、ＱＰＳＫ、１６ＱＡＭ、６４ＱＡＭ、２５６ＱＡＭ、１０２４ＱＡＭを含む。
【０１４８】
（１０）本発明の一態様は、基地局装置と通信する端末装置の通信方法であって、ＣＳＩレポート設定情報を受信する受信ステップと、ＣＳＩレポートを送信する送信ステップと、前記ＣＳＩレポート設定情報に基づいて、ＣＳＩレポートを作成する制御ステップと、を有し、前記ＣＳＩレポート設定情報が前記ＣＳＩレポートの生成に適用するＣＱＩテーブルを示すＣＱＩテーブル選択に関する情報および該ＣＱＩテーブルを適用するサブフレームを示すＣＳＩサブフレームセットを含む場合、該ＣＱＩテーブル選択に関する情報および該ＣＳＩサブフレームセットを用いて、ＣＳＩレポートを作成し、前記ＣＳＩレポート設定情報が、ＣＱＩテーブルを選択するための情報として、前記ＣＱＩテーブル選択に関する情報のみを含む場合、該ＣＱＩテーブル選択に関する情報および前記ＣＳＩレポート設定情報より前に受信したＣＳＩレポート設定情報によって示されたＣＳＩサブフレームセットを用いて、ＣＳＩレポートを作成し、前記ＣＱＩテーブル選択に関する情報は、前記ＣＳＩレポート設定情報に第１のＣＱＩテーブル、第２のＣＱＩテーブルおよび第３のＣＱＩテーブルのいずれを適用してＣＳＩレポートを作成するか、を示し、前記第１のＣＱＩテーブルは、少なくとも第１の変調方式を含み、前記第１の変調方式は、ＱＰＳＫ、１６ＱＡＭ、および６４ＱＡＭを含み、前記第２のＣＱＩテーブルは、少なくとも第２の変調方式を含み、前記第２の変調方式は、ＱＰＳＫ、１６ＱＡＭ、６４ＱＡＭ、および２５６ＱＡＭを含み、前記第３のＣＱＩテーブルは、少なくとも第３の変調方式を含み、前記第３の変調方式に関する情報は、ＱＰＳＫ、１６ＱＡＭ、６４ＱＡＭ、２５６ＱＡ
Ｍ、１０２４ＱＡＭを含む。
【０１４９】
以上のように、本実施態様によれば、基地局装置及び端末装置は、複数のＣＱＩテーブルおよびＭＣＳテーブルを用いて、伝搬路状況に応じて変調方式を柔軟に選択することができる。
【０１５０】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１５１】
なお、上述した実施形態における装置の一部、をコンピュータで実現するようにしても良い。その場合、実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであっても良い。
【０１５２】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１５３】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、ディジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１５４】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１５５】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１５６】
本発明は、基地局装置、端末装置および通信方法に用いて好適である。
【符号の説明】
【０１５７】
１０  基地局装置
２０  端末装置
１０ａ  基地局装置１０が端末装置と接続可能な範囲
１０２  上位層処理部
１０４  制御部
１０６  送信部
１０８  送信アンテナ
１１０  受信アンテナ
１１２  受信部
１０６０  符号化部
１０６２  変調部
１０６４  下りリンク制御信号生成部
１０６６  下りリンク参照信号生成部
１０６８  多重部
１０７０  無線送信部
１１２０  無線受信部
１１２２  伝搬路推定部
１１２４  多重分離部
１１２６  等化部
１１２８  復調部
１１３０  復号部
２０２  上位層処理部
２０４  制御部
２０６  送信部
２０８  送信アンテナ
２１０  受信アンテナ
２１２  受信部
２０６０  符号化部
２０６２  変調部
２０６４  上りリンク参照信号生成部
２０６６  上りリンク制御信号生成部
２０６８  多重部
２０７０  無線送信部
２１２０  無線受信部
２１２２  多重分離部
２１２４  伝搬路推定部
２１２６  等化部
２１２８  復調部
２１３０  復号部
【図１】
2019004212.tif 000003
【図２】
2019004212.tif 000004
【図３】
2019004212.tif 000005
【図４】
2019004212.tif 000006
【図５】
2019004212.tif 000007
【図６】
2019004212.tif 000008
【図７】
2019004212.tif 000009
【図８】
2019004212.tif 000010
【図９】
2019004212.tif 000011
【図１０】
2019004212.tif 000012
【図１１】
2019004212.tif 000013
【図１２】
2019004212.tif 000014
【図１３】
2019004212.tif 000015
【図１４】
2019004212.tif 000016
【図１５】
2019004212.tif 000017
【図１６】
2019004212.tif 000018
【図１７】
2019004212.tif 000019
【図１８】
2019004212.tif 000020
【図１９】
2019004212.tif 000021